(57)【特許請求の範囲】
【請求項１】
管理設備が、端末から要求信号と前記端末を特定する端末識別子とをネットワークを介して受信するステップと、
前記管理設備が、前記端末識別子に対応するサーバ識別子により特定されるサーバを特定するステップと、
前記管理設備が、前記サーバから、前記サーバの制御下にある電子機器の状況を示す状況情報と前記サーバを特定するサーバ識別子とをネットワークを介して取得するステップと、
前記管理設備が、前記電子機器の状況を示す画面および前記電子機器の制御命令の入力を促す画面を示す表示情報を、前記状況情報と前記サーバ識別子に対応する端末識別子により特定される端末の性能とに基づいて生成するステップと、
前記管理設備が、前記表示情報を、前記端末に送信するステップと、
前記端末が、受信した表示情報に基づいて、前記電子機器の状況を示す画面と前記電子機器の制御命令の入力を促す画面とを前記表示画面に表示するステップと、
前記端末が、制御命令が入力されると、前記端末識別子と前記制御命令を示す第１の制御情報とを前記管理設備に送信するステップと、
前記管理設備が、前記サーバが前記電子機器の制御を行うための情報である第２の制御情報を前記第１の制御情報に基づいて生成するステップと、
前記管理設備が、前記第２の制御情報を前記端末識別子に対応する前記サーバに送信するステップと、
前記サーバが、前記第２の制御情報に基づいて、前記電子機器の制御を行うステップと
を有する電子機器の遠隔制御方法。
【請求項２】
前記管理設備が、前記端末の通信能力に応じて前記表示情報を生成することを特徴とする請求項１に記載の電子機器の遠隔制御方法。
【請求項３】
前記管理設備が、前記端末の表示能力に応じて、生成する前記表示情報の画像サイズ、表示色の数、諧調数、およびデータ形式を変更する
ことを特徴とする請求項１に記載の電子機器の遠隔制御方法。
【請求項４】
前記管理設備が、前記表示情報の生成時に、前記表示画面に表示される情報内容のレイアウトが、前記性能が異なる端末間であっても略同一のレイアウトとなるように、前記表示情報を生成することを特徴とする請求項１に記載の電子機器の遠隔制御方法。
【請求項５】
前記端末識別子と前記サーバ識別子とが同一の信号であることを特徴とする請求項１に記載の電子機器の遠隔制御方法。
【請求項６】
前記管理設備が、前記ユーザの年齢と前記ユーザの性別との少なくとも一方に基づいて、前記表示情報を生成することを特徴とする請求項１に記載の遠隔制御方法。
【請求項７】
前記サーバが、１または複数の前記電子機器の１または複数の制御項目についての制御が可能であり、
前記管理設備が、前記１または複数の制御項目のうち前記ユーザに制御を許可するものを示すセキュリティレベルを記憶しており、
前記管理設備が、前記電子機器の制御命令の入力を促す情報であって、かつ、前記セキュリティレベルに対応した範囲から外れる制御項目に関する情報を前記表示情報から除外するステップをさらに有する
ことを特徴とする請求項１に記載の電子機器の遠隔制御方法。
【請求項８】
前記管理設備が、前記セキュリティレベルを前記ユーザの年齢に基づいて設定する
ことを特徴とする請求項７に記載の電子機器の遠隔制御方法。
【請求項９】
前記サーバと前記電子機器とが、前記ユーザが使用する建物に設置され、当該建物においてローカルなネットワークを構成していることを特徴とする請求項１に記載の電子機器の遠隔制御方法。
【請求項１０】
前記サーバと前記電子機器とが、前記ユーザが使用する車両に設置され、当該車両においてローカルなネットワークを構成していることを特徴とする請求項１に記載の電子機器の遠隔制御方法。
【請求項１１】
前記電子機器には、車両のエンジンに供給される燃料と空気との少なくとも一方の供給量を制御するエンジン制御装置が含まれ、
前記サーバが、前記第２の制御情報に基づいて前記エンジン制御装置に対し、前記車両のエンジンに供給される燃料と空気との少なくとも一方の供給量の制御を行う
ことを特徴とする請求項１に記載の電子機器の制御方法。
【請求項１２】
前記電子機器には、車両の位置情報を取得可能な位置情報装置が含まれ、
前記サーバが、前記第２の制御情報に基づいて前記位置情報装置に対し、前記車両の位置情報の取得の制御を行う
ことを特徴とする請求項１に記載の電子機器の遠隔制御方法。
【請求項１３】
前記管理設備が、前記第２の制御情報を送信し、前記サーバが第２の制御情報によって指定された制御を行った旨の報告を前記管理設備に送信したとき、前記管理設備が前記ユーザに対して課金を行うステップをさらに有することを特徴とする請求項１に記載の電子機器の遠隔制御方法。
【請求項１４】
前記管理設備が、移動通信網を介して前記サーバに前記第２の制御情報を送信することを特徴とする請求項１に記載の電子機器の遠隔制御方法。
【請求項１５】
前記管理設備が、移動通信網に接続され、
前記端末が、前記移動通信網を介して、前記管理設備に第１の制御情報を送信する
ことを特徴とする請求項１に記載の電子機器の遠隔制御方法。
【請求項１６】
電子機器が、検出対象が所定の状態になったことを検出すると、非常信号をローカルなネットワークを介してサーバに送信するステップと、
前記サーバが、前記非常信号を受信すると、非常事態を示す警報信号と前記サーバを特定するサーバ識別子とをネットワークを介して管理設備に送信するステップと、
前記管理設備が、前記警報信号を受信すると、警告を行う画面および前記電子機器の制御命令の入力を促す画面を示す表示情報を、前記警報信号と前記サーバ識別子に対応する端末測定信号により特定される端末の性能とに基づいて生成するステップと、
前記管理設備が、前記表示情報を、前記端末に送信するステップと、
前記端末が、受信した表示情報に基づいて、警告を行う画面と前記電子機器の制御命令の入力を促す画面とを前記表示画面に表示するステップと、
前記端末が、前記制御命令が入力されると、前記端末を特定する端末識別子と前記制御命令を示す第１の制御情報とを前記管理設備に送信するステップと、
前記管理設備が、前記サーバが前記電子機器の制御を行うための情報である第２の制御情報を前記第１の制御情報に基づいて生成するステップと、
前記第２の制御情報を前記端末識別子に対応するサーバ識別子により特定されるサーバに送信するステップと、
前記サーバが、前記第２の制御情報に基づいて前記電子機器の制御を行するステップと
を有する電子機器の遠隔制御方法。
【請求項１７】
前記管理設備が、前記非常事態時における通報先とネットワークによって接続されており、
前記管理設備が、前記表示情報に、前記通報先に通報する旨の制御内容を促す画面を示す情報を含め、前記第２の制御情報に基づいて前記通報先に通報するステップをさらに有する
ことを特徴とする請求項１６に記載の電子機器の遠隔制御方法。
【請求項１８】
前記端末識別子と前記サーバ識別子とが同一の信号であることを特徴とする請求項１６に記載の電子機器の遠隔制御方法。
【請求項１９】
サーバを特定するサーバ識別子と端末を特定する端末識別子との組を１または複数記憶する記憶手段と、
端末からの要求信号と前記端末を特定する端末識別子とを受信する手段と、
前記記憶手段の内容に基づいて、前記端末識別子に対応するサーバ識別子により特定されるサーバを特定する手段と、
前記サーバから、前記サーバの制御下にある電子機器の状況を示す状況情報と前記サーバを特定するサーバ識別子とを受信する手段と、
前記電子機器の状態を示す画面および前記電子機器の制御命令の入力を促す画面を示す表示情報を、前記状況情報と前記サーバ識別子と対応する端末識別子により特定される端末の性能とに基づいて生成する手段と、
前記表示情報を、前記端末に送信する手段と、
前記サーバが前記電子機器の制御を行うための情報である第２の制御情報を前記第１の制御情報に基づいて生成する手段と、
前記第２の制御情報を、前記サーバに送信する手段と
を有する電子機器の管理設備。
【請求項２０】
前記制御部が、前記ユーザに制御命令の入力を促すための、前記表示画面に現在表示されているページより、より詳細な情報を含んだページへのリンクを含んだウェブページによって前記表示情報を生成することを特徴とする請求項１９に記載の電子機器の管理設備。
【請求項２１】
サーバを特定するサーバ識別子と端末を特定する端末識別子との組を１または複数記憶する記憶手段と、
前記サーバから、前記サーバを特定するサーバ識別子と警報信号とを受信する手段と、
前記記憶手段の内容に基づいて、前記サーバ識別子に対応する端末識別子により特定される端末を特定する手段と、
警告を行う画面および前記電子機器の制御命令の入力を促す画面を示す表示情報を、受信した警報信号と前記サーバ識別子に対応する端末識別子により特定される端末の性能とに基づいて生成する手段と、
前記表示情報を、前記端末に送信する手段と、
前記端末から、前記端末を特定する端末識別子と前記制御命令を示す第１の制御情報とを受信する手段と、
前記第１の制御情報に基づいて前記サーバに前記電子機器の制御を行わせるための第２の制御情報を生成する手段と、
前記第２の制御情報を、前記端末識別子に対応するサーバ識別子により特定されるサーバに前記第２の通信部を介して送信する手段と
を有する電子機器の管理設備。
【発明の詳細な説明】
【０００１】
（技術分野）
本発明は、電子機器の遠隔制御方法、及び電子機器を管理する電子機器の管理設備に関する。
【０００２】
（背景技術）
現在、テレビ、ビデオデッキ、エアコン、電子レンジ、洗濯機、ＰＣ（Personal Computer）等、様々な電子機器が家屋内で使用されている。これらの電子機器は、それぞれ異なる機能を有するものであるため、殆どの場合において単独で用いられ、互いに連携して用いられることは少ない。
しかし、これらの電子機器に対して共通のユーザインターフェイスを提供し、全ての電子機器を同一のユーザインターフェイス上で制御、および一括管理を行うことができれば、操作性の向上および機器間における機能の相乗効果が生じ便利である。
このため、近年、家屋内における電子機器の制御を行うホームサーバを設け、このホームサーバの制御の下、各電子機器を一括管理するホームネットワークが実施されつつある。
【０００３】
このようなホームネットワークの中には、ホームサーバに遠隔接続機能を持たせることにより、家屋内の電子機器が遠隔制御可能なものも提案されている。これにより、ユーザは、外出中においても、家屋内の電子機器の状況を得ることや、電子機器の操作を行うことが可能となる。このような遠隔制御機能を備えたホームネットワークの実施形態としては、以下の３つの方法がある。
（１）遠隔制御方法ａ
遠隔制御方法ａは、インターネットに常時接続されたホームサーバを有するホームネットワークである。ユーザは、インターネット接続機能を有する携帯電話機、ＰＨＳ（Personal Handyphone System）等の携帯端末、およびノート型パソコン等の端末からインターネット経由でホームサーバと通信して、家屋内の電子機器を遠隔制御する。
（２）遠隔制御方法ｂ
遠隔制御方法ｂは、ホームサーバに、例えば、Ｗｉｎｄｏｗｓ（登録商標）におけるＲＡＳ（remote access service）などの遠隔接続機能を持たせたホームネットワークである。ユーザは、ホームサーバの遠隔接続機能に対応したソフトウェアを掲載したノート型パソコン等の端末からホームサーバにダイヤルアップ接続し、家屋内の電子機器を遠隔制御する。
（３）遠隔制御方法ｃ
遠隔制御方法ｃは、ＤＴＭＦ（dial tone multi frequency）信号が発信可能な公衆電話機や携帯電話機等の電話機を用いて家屋内の電子機器を制御する方法である。ユーザは、電話機から電話回線を介してホームサーバに接続する。接続されたホームサーバは、ユーザに対し家屋内の電子機器の制御に関する音声ガイダンスを流す。ユーザは、この音声ガイダンスに従い、電話機からＤＴＭＦ信号を発信し、電子機器の遠隔制御を行う。
【０００４】
ここで、遠隔制御方法ａでは、ホームサーバはインターネットに常時接続されることが必要となる。この場合、ホームサーバのインターネット接続料金が高額化するため、ユーザの負担する費用が大きくなるという問題があった。
【０００５】
これに対し、遠隔制御方法ｂでは、ホームサーバをインターネットに常時接続せずに済むため、ユーザはランニングコストを抑えることが可能となる。しかし、現在用いられている携帯電話機等の携帯端末は、せいぜいインターネット接続に関する機能しか有しておらず、ＲＡＳなどの遠隔接続機能には対応していない。このため、ユーザは、携帯端末を介して、ホームサーバと遠隔接続機能に関する通信を行うことはできない。また、遠隔接続機能を携帯電話機に持たせた場合、対応するソフトウェアを掲載することが必要となるため、携帯電話機の携帯性を悪化させるという問題があった。
【０００６】
そして、遠隔制御方法ｃの場合、ユーザが携帯電話機等の小型軽量な携帯端末を用いて、ホームサーバにアクセスすることが可能であるため、最も現実的である。しかし、この場合、ユーザは、遠隔制御にあたり音声ガイダンスに従って行わなければならないため、操作性が悪いという問題がある。また、遠隔制御を音声ガイダンスによって行う場合、ユーザが電子機器の状況の詳細な把握をしようとすれば多大な時間を要するため、詳細な状況の把握は実質的に不可能であるという問題があった。
【０００７】
さらに、いずれの遠隔制御方法においても、各家屋に備えられるホームサーバは、電子機器の制御の処理に加え、端末に電子機器の状況を伝達する処理、ユーザに電子機器の制御を促す処理、および、端末からの制御命令を受け付ける処理等の複数の処理を、逐次的かつ並列に実行可能な処理能力が必要とされる。このため、ホームサーバは、高い処理能力が必要とされ、費用がかかるという問題があった。
【０００８】
このように、従来における電子機器の遠隔制御システムは、一般的に普及し得るものが存在しない状況下にあった。
【０００９】
（発明の開示）
本発明は、以上説明した事情に鑑みてなされたものであり、サーバによって一括管理された電子機器の遠隔制御を行うにあたり、高い処理能力を必要としない簡易なサーバおよび携帯電話機等の簡易な端末を用いて電子機器の遠隔制御を可能とする電子機器の遠隔制御方法、及び電子機器の管理設備を提供することを目的とする。
【００１０】
かかる目的を達成するため、この発明は、管理設備は、端末から要求信号と第１の識別信号とをネットワークを介して受け取ると、受信した第１の識別信号に対応したサーバから、前記サーバの制御下にある電子機器の状況を示す状況情報と第２の識別信号とをネットワークを介して取得し、前記電子機器の状況を示す画面および前記電子機器の制御命令の入力を促す画面を示す表示情報を前記状況情報に基づいて生成して、前記第２の識別信号に対応した前記端末に送信し、前記端末は、受信した表示情報に基づいて、前記電子機器の状況を示す画面と前記電子機器の制御命令の入力を促す画面とを前記表示画面に表示し、前記制御命令が入力されると、前記第１の識別信号と前記制御命令を示す第１の制御情報とを前記管理設備に送信し、前記管理設備は、前記サーバが前記電子機器の制御を行うための情報である第２の制御情報を前記第１の制御情報に基づいて生成して、前８記第１の識別信号に対応する前記サーバに送信し、前記サーバは、前記第２の制御情報に基づいて、前記電子機器の制御を行うことを特徴とする電子機器の遠隔制御方法を提供する。
かかる電子機器の遠隔制御方法によれば、管理設備は、端末からの要求により、サーバから電子機器の状況を取得し、取得した状況の情報を基に端末から電子機器の制御の内容を受け付け、サーバに当該制御の内容を送信する。従って高い処理能力を必要としない簡易なサーバおよび携帯電話機等の簡易な端末を用いて電子機器を遠隔制御を行うことができる。
【００１１】
好ましい様態において、前記管理設備は、前記第２の識別信号に対応した前記端末の性能に応じて前記表示情報を生成する。
また、別の好ましい様態において、前記管理設備は、前記第２の識別信号に対応した前記端末の通信能力に応じて前記表示情報を生成する。
また、別の好ましい様態において、前記管理設備は、前記第２の識別信号に対応した前記端末の表示能力に応じて、生成する前記表示情報の画像サイズ、表示色の数、諧調数、およびデータ形式を変更する。
また、別の好ましい様態において、前記管理設備は、前記表示情報の生成時に、前記表示画面に表示される情報内容のレイアウトが、前記性能が異なる端末間であっても略同一のレイアウトとなるように、前記表示情報を生成する。
また、別の好ましい様態において、前記第１の識別信号と前記第２の識別信号とが同一の信号である。
また、別の好ましい様態において、前記管理設備は、前記ユーザの年齢と前記ユーザの性別との少なくとも一方に基づいて、前記表示情報を生成する。
また、別の好ましい様態において、前記サーバは、1または複数の前記電子機器の1または複数の制御項目についての制御が可能であり、前記管理設備は、前記ユーザに制御を許可する範囲の広狭の程度を示すセキュリティレベルを記憶しており、前記管理設備は、前記表示情報の生成時に、前記ユーザに前記電子機器の制御命令の入力を促す情報であって、かつ、前記セキュリティレベルに対応した範囲から外れる制御項目に関する情報を前記表示情報から除外する。
また、別の好ましい様態において、前記管理設備は、前記セキュリティレベルを前記ユーザの年齢に基づいて設定する。
また、別の好ましい様態において、前記サーバと前記電子機器とは、前記ユーザが使用する建物に設置され、当該建物においてローカルなネットワークを構成している。
また、別の好ましい様態において、前記サーバと前記電子機器とは、前記ユーザが使用する車両に設置され、当該車両においてローカルなネットワークを構成している。
また、別の好ましい様態において、前記電子機器には、車両のエンジンに供給される燃料と空気との少なくとも一方の供給量を制御するエンジン制御装置が含まれ、前記サーバは、前記第２の制御情報に基づいて前記エンジン制御装置に対し、前記車両のエンジンに供給される燃料と空気との少なくとも一方の供給量の制御を行う。
また、別の好ましい様態において、前記電子機器には、車両の位置情報を取得可能な位置情報装置が含まれ、前記サーバは、前記第２の制御情報に基づいて前記位置情報装置に対し、前記車両の位置情報の取得の制御を行う。
また、別の好ましい様態において、前記管理設備は、前記第２の制御情報を送信し、前記サーバが第２の情報状況によって指定された制御を行った旨の報告を前記管理設備に送信したとき、前記管理設備は前記ユーザに対して課金を行う。
また、別の好ましい様態において、前記管理設備は、移動通信網を介して前記サーバに第２の制御情報を送信する。
また、別の好ましい様態において、前記管理設備は、移動通信網に接続され、前記端末は、前記移動通信網を介して、前記管理設備に第1の制御情報を送る。
【００１２】
また、本発明は、電子機器は検出対象が所定の状態になったことを検出すると、非常信号をローカルなネットワークを介してサーバに送信し、サーバは前記非常信号を受信すると、非常事態を示す警報信号と第１の識別信号とをネットワークを介して管理設備に送信し、管理設備は、前記警報信号を受信すると、警告を行う画面および前記電子機器の制御命令の入力を促す画面を示す表示情報を前記警報信号に基づいて生成して、前記第１の識別信号に対応した前記端末に送信し、前記端末は、受信した表示情報に基づいて、警告を行う画面と前記電子機器の制御命令の入力を促す画面とを前記表示画面に表示し、前記制御命令が入力されると、第２の識別信号と前記制御命令を示す第１の制御情報とを前記管理設備に送信し、前記管理設備は、前記サーバが前記電子機器の制御を行うための情報である第２の制御情報を前記第１の制御情報に基づいて生成して、前記第２の識別信号に対応したサーバに送信し、前記サーバは、前記第２の制御情報に基づいて前記電子機器の制御を行うことを特徴とする電子機器の遠隔制御方法を提供する。
好ましい様態において、前記管理設備は、前記非常事態時における通報先とネットワークによって接続されており、前記管理設備は、前記表示情報に、前記通報先に通報する旨の制御内容を促す画面を示す情報を含め、前記第２の制御情報に基づいて前記通報先に通報する。
好ましい様態において、前記第１の識別信号と前記第２の識別信号とが同一の信号である。
【００１３】
また、本発明は、管理設備は、ネットワークを介して接続されたサーバの管理下にある電子機器の制御を行うための前記サーバ用のドライバソフトウェアを有し、端末は、前記サーバが前記管理設備から前記ドライバソフトウェアのダウンロードを行う旨を示す要求信号と識別信号とを前記管理設備に送信し、前記管理設備は、前記識別情報に対応する前記サーバに前記要求信号に対応する前記ドライバソフトウェアの送信を行うことを特徴とする電子機器の遠隔制御方法を提供する。
【００１４】
また、本発明は、端末との通信を行う第１の通信部と、電子機器の制御を行うサーバとの通信を行う第２の通信部と、制御部とを具備し、前記制御部は、前記端末からの要求信号と第１の識別信号とを前記第１の通信部を介して受け取ると、前記第１の識別信号に対応した前記サーバから、前記サーバの制御下にある前記電子機器の状況を示す状況情報と第２の識別信号とを前記第２の通信部を介して取得し、前記電子機器の状態を示す画面および前記電子機器の制御命令の入力を促す画面を示す表示情報を前記状況情報に基づいて生成して、前記第２の識別信号に対応した前記端末に前記第１の通信部を介して送信し、前記サーバが前記電子機器の制御を行うための情報である第２の制御情報を前記第１の制御情報に基づいて生成して、受信した第１の識別信号に対応する前記サーバに前記第２の通信部を介して送信する電子機器の管理設備を提供する。
好ましい様態において、前記制御部は、前記ユーザに制御命令の入力を促すための、前記表示部に現在表示されているページより、より詳細な情報を含んだページへのリンクを含んだウェブページによって前記表示情報を生成する。
【００１５】
また、本発明は、端末との通信を行う第１の通信部と、電子機器の制御を行うサーバとの通信を行う第２の通信部と、制御部とを具備し、前記制御部は、第１の識別信号と警報信号とを前記第２の通信部を介して前記サーバから受信すると、警告を行う画面および前記電子機器の制御命令の入力を促す画面を示す表示情報を受信した警報信号に基づいて生成して、前記第１の識別信号に対応した前記端末に前記第１の通信部を介して送信し、第２の識別信号と前記制御命令を示す第１の制御情報とを前記第１の通信部を介して前記端末から受信すると、前記第１の制御情報に基づいて前記サーバに前記電子機器の制御を行わせるための第２の制御情報を生成して、前記第２の識別信号に対応した前記サーバに前記第２の通信部を介して送信することを特徴とする電子機器の管理設備を提供する。
【００１６】
また、本発明は、端末との通信を行う第１の通信部と、電子機器の制御を行うサーバとの通信を行う第２の通信部と、記憶部と、制御部とを具備し、前記記憶部は、ネットワークを介して接続された前記サーバの管理下にある前記電子機器の制御を行うための前記サーバ用のドライバソフトウェアを有し、前記制御部は、識別信号と前記サーバが前記管理設備から前記ドライバソフトウェアのダウンロードを行う旨を示す要求信号とを前記第１の通信部を介して前記端末から受信し、前記識別信号に対応した前記サーバに前記要求信号に対応した前記ドライバソフトウェアの送信を第２の通信部を介して行うことを特徴とする電子機器の管理設備を提供する。
【００１７】
（発明を実施するための最良の形態）
以下、図面を参照して、この発明の実施形態について説明する。ただし、本発明は、かかる実施形態に限定されず、その技術思想の範囲内で種々の変更が可能である。
【００１８】
［１］第１実施形態
［１．１］第１実施形態の構成
（ａ）システム全体の構成
図１は、本実施形態にかかるホームネットワーク管理システムの構成を示すブロック図である。
同図に示すように、本実施形態にかかるホームネットワーク管理システムは、複数の端末１、移動パケット通信網２、ゲートウェイサーバ３、インターネット４、ホームネットワーク管理設備５、複数のホームネットワーク６、および通報先サーバ７を有する。なお、図１においては、図面が煩雑となることを防ぐため、ホームネットワーク管理システムに収容された全ての端末１のうち一部のもの、及び全てのホームネットワーク６のうち一部のものが示されている。
【００１９】
ここで、本実施形態にかかるホームネットワーク管理システムは、ユーザが端末１を操作することによって、ユーザの家屋に設置されたホームネットワーク６内の電子機器の遠隔制御を可能とする、ホームネットワーク管理サービスを実現するためのものである。ここで、ユーザとは、端末１のユーザであって、かつ、ホームネットワーク６に収容される電子機器のユーザである。
【００２０】
端末１は、ユーザが指示を入力するための指示入力部や、画像を表示するための表示部を有する携帯型の通信端末であり、移動パケット通信網２を介してパケット交換を行う通信機能を有する。端末１としては、携帯電話機、ノート型パソコン、およびＰＤＡ（personal digital assistants）等の様々なカテゴリの通信端末が使用可能である。また、各カテゴリ内においても様々な機種が存在している。このため、端末１は、そのカテゴリや機種によって、異なる通信能力や表示能力を有している。
【００２１】
ここで、本実施形態において端末１の通信能力は、当該端末１が一回の受信により取得することができる最大のデータ量と、端末１の最大通信速度とにより表される。また、本実施形態において端末１の表示能力は、表示部に表示可能な画像の大きさ、画素数、色数、色の階調数、および表示可能なデータ形式とにより表される。一般的に、通信能力や表示能力は、端末１が携帯電話機であれば低いものとなるのに対して、端末１がノート型のパソコンであれば高いものとなる。例えば、動画の圧縮伸張方式であるＭＰＥＧ（Moving Picture Expert Group）形式のデータの場合、端末１がノート型パソコンであれば表示することができるが、端末１が携帯電話機であれば表示することができるものは少ない。
【００２２】
また、端末１は、図示せぬメモリを有している。このメモリには、各端末１を一意に特定するための識別子である端末ＩＤ、端末１の機種名の他、Ｗｅｂ上のリソースから情報を取得して表示するためのＷＷＷ（World Wide Web）ブラウザ、および、移動パケット通信網２を介して直接ホームネットワーク管理設備５と通信を行うためのプログラム（以下、「アクセスブラウザ」）が記憶されている。端末１は、これらブラウザを実行することにより、インターネット接続や、ホームネットワーク管理設備５との直接通信を行う。
【００２３】
ゲートウェイサーバ３は、インターネット４と、移動パケット通信網２とを相互接続する移動パケット関門中継交換局（図示は省略）に設けられたコンピュータシステムであり、異なるネットワーク間のデータの授受を仲介する。より具体的には、ゲートウェイサーバ３は、端末１から送信された移動パケット通信網２側のデータをインターネット４が従うＴＣＰ／ＩＰ（Transmission Control Protocol/Internet Protocol）のデータへとプロトコル変換した後、インターネット４側に送信する。また、ゲートウェイサーバ３は、インターネット４側から送信されてきたデータを移動パケット通信網２用の伝送プロトコルに従うデータへと変換して移動パケット通信網２側に送信する。
【００２４】
ここで、ゲートウェイサーバ３は、端末１が携帯電話機である場合に、端末１をインターネット４へ接続するためのものである。従って、端末１がノート型パソコンやＰＤＡである場合、端末１は、ゲートウェイサーバ３を経由することなく、有線回線接続によってインターネット４のアクセスポイントに接続することも可能である。
【００２５】
移動パケット通信網２は、基地局２１を介して端末１およびホームネットワーク６にパケット交換サービスを提供する。なお、図１からは省略しているが、移動パケット通信網２は、サービス制御局及び交換局を収容している。
【００２６】
ホームネットワーク６は、家屋毎に設置されるホームネットワークであり、ホームサーバ６１、電子機器群６２、およびセキュリティシステム６３を有し、各部はホームバス６４によって相互接続されている。
【００２７】
ここで、電子機器群６２に含まれる電子機器の例としては、電子レンジ、炊飯器、冷蔵庫、照明器具、エアコン、ビデオデッキ、ガス漏れ検知装置、および給湯器等がある。また、各電子機器は、ホームバス６４を介してホームサーバ６１と通信を行う機能を有している。
【００２８】
セキュリティシステム６３は、家屋に起きた非常事態（検出対象が所定の状態になったこと）の検出を行うコンピュータシステムである。より具体的には、セキュリティシステム６３は、ガラスが割られた等の監視を行う他、家屋の施錠状況等の管理を行う。セキュリティシステム６３は、ホームバス６４を介してホームサーバ６１と通信を行う機能を有している。セキュリティシステム６３は、例えば、窓ガラスが割られた、或いは、施錠が強制的に解除された等の非常事態が発生した場合に、非常事態が発生した旨の通知（以下、「警報」という）をホームサーバ６１に送信する。また、セキュリティシステム６３は、ホームサーバ６１からの命令に従って施錠状況等を変更するための処理を実行する。
【００２９】
ここで、ホームサーバ６１と電子機器群６２およびセキュリティシステム６３との通信規格は、適宜設計事項である。この規格としては、例えば、ＵＳＢ（登録商標）、ＩＥＥＥ１３９４、ホームＲＦ或いはブルートゥース（登録商標）、ｈａｖｉ（登録商標）、ｊｉｎｉ（登録商標）或いはＵＰｎＰ（Universal plug and play）等がある。
【００３０】
ホームサーバ６１は、移動パケット通信網２を介してホームネットワーク管理設備５と通信を行い、管理下にある電子機器群６２およびセキュリティシステム６３の制御を行う。また、ホームサーバ６１は、セキュリティシステム６３から警報が送られてくると、受信した警報をホームネットワーク管理設備５に対して転送する。
【００３１】
ホームネットワーク管理設備５は、自らの収容しているホームネットワーク６を管理する。すなわち、ホームネットワーク管理設備５は、端末１のユーザから遠隔制御のための制御命令を受け付けると、そのユーザに対応したホームネットワーク６を求め、受け付けた制御命令を、そのホームネットワーク６のホームサーバ６１へと移動パケット通信網２を介して送信する。
【００３２】
また、ホームネットワーク管理設備５は、ホームサーバ６１からの警報を受信すると、警報の内容に応じた電子メールを生成し、この電子メールを当該ホームサーバ６１に対応したユーザの端末１に対して転送する。そして、ホームネットワーク管理設備５は、端末１のユーザの指示に従って、通報先サーバ７に通報を行う。なお、ホームネットワーク管理設備５において生成される電子メールについては、後述する。
【００３３】
通報先サーバ７は、警察や警備会社等が保有するコンピュータシステムであり、ホームネットワーク管理設備５からの通報を受け付けると、通報内容に応じたイベントを発生させる。この結果、警察署や警備会社等においては、当該イベントに基づいて、警察官や警備員等が出動することとなる。
【００３４】
（ｂ）ホームサーバ６１の構成
図２は、ホームサーバ６１の構成を示す図である。この図に示されるようにホームサーバ６１は、制御部６１１、無線通信部６１２、バスインターフェイス部６１３、および、状況情報テーブル記憶部６１４を有する。
【００３５】
制御部６１１は、例えば、ＣＰＵ(Central Processing Unit)、ＲＯＭ（Read Only Memory）、ＲＡＭ(Random Access Memory)、および、ハードディスク（何れも図示は省略）を有する。これらのうちハードディスクには、ホームネットワーク管理設備５がホームネットワーク６を一意に特定するための識別子であるホームネットワークＩＤ、当該ホームネットワーク６に収容されているセキュリティシステム６３及び電子機器群６２を制御するためのドライバソフトウェアの他、各種制御プログラムが格納されている。ＣＰＵは、これらの各種制御プログラムを実行する。ＲＡＭは、ＣＰＵのワークエリアとして用いられる。
【００３６】
ここで、ハードディスクに格納されている制御プログラムとしては、次のようなものがある。
（１）ホームネットワーク制御プログラム
ホームネットワーク制御プログラムは、ホームネットワーク管理設備５と通信を行い、ホームネットワーク管理設備５から受信した制御命令に従って、セキュリティシステム６３や電子機器群６２を制御するためのプログラムである。
【００３７】
（２）報知プログラム
報知プログラムは、セキュリティシステム６３から警報が送られてきた際に、受信した警報をホームネットワーク管理設備５へと転送するプログラムである。
【００３８】
無線通信部６１２は、基地局２１を介して移動パケット通信網２と通信を行う。これにより、ホームサーバ６１は、ホームネットワーク管理設備５とのデータの授受が可能になる。バスインターフェイス部６１３は、ホームバス６４を介して、ホームサーバ６１と、電子機器群６２およびセキュリティシステム６３とを接続する。
【００３９】
状況情報テーブル記憶部６１４には、ホームサーバ６１の管理下にあるセキュリティシステム６３および電子機器群６２の状況を示す状況情報テーブルＴＢＬ１-ｍ（ｍ＝１〜ｋ）が格納されている。
【００４０】
図３は、状況情報テーブルＴＢＬ１-ｍの記憶内容を示す概念図である。各状況情報テーブルＴＢＬ１-ｍは、各電子機器あるいはセキュリティシステム６３に対応付けられており、電子機器等の電子機器カテゴリ（すなわち、電子機器名）と、電子機器等の最新の状況を表す状況情報とから構成されている。
【００４１】
例えば、図３において状況情報テーブルＴＢＬ１-１は、セキュリティシステム６３に対応するテーブルである。このテーブルＴＢＬ１-１には、当該家屋の玄関ドアの施錠状況、施錠ログ、および、セキュリティシステム６３の作動状況が格納されている。これらのうち作動状況とは、セキュリティシステム６３がセットされている状況に有るか否かを表す。
【００４２】
また、状況情報テーブルＴＢＬ１-２は、電子機器群６２に含まれるビデオデッキに対応するテーブルである。このテーブルＴＢＬ１-２には、状況情報として、録画予約の状況と、当該ビデオデッキに収容されているビデオテープの録画可能な時間数と、録画履歴とが格納されている。ここで、同図に示すように、状況情報テーブルＴＢＬ１-２には、複数の録画予約の状況が格納されており、その各々には、録画開始日時と終了日時及び録画チャネルが対応付けて格納されている。
【００４３】
ユーザが端末１を用いて状況情報の要求を行うと、ホームネットワーク管理設備５を介して、当該ユーザに対応したホームサーバ６１に状況情報の要求が送信される。状況情報の要求を受信すると、ホームサーバ６１の制御部６１１は、状況情報テーブルＴＢＬ１-ｍに格納されている電子機器カテゴリと状況情報とをホームネットワーク管理設備５へと送信する。
【００４４】
（ｃ）ホームネットワーク管理設備５の構成
図４は、ホームネットワーク管理設備５の構成を示すブロック図である。
同図に示されるように、ホームネットワーク管理設備５は、ＨＴＴＰサーバ５１と、中継装置５２と、ＤＮＳ（Domain name system）サーバ５３と、認証サーバ５４と、ネットワーク管理サーバ５５と、課金サーバ５６と、バス５７を有する。
【００４５】
ＨＴＴＰサーバ５１は、インターネット４と接続されており、ＷＷＷサーバとしての機能を有する。このＨＴＴＰサーバ５１上のリソース（Ｗｅｂページ、またはその初期画面であるホームページ等に対応したもの）には、各々のリソースに対応したＵＲＬが設定されている。端末１からＨＴＭＬデータのＧＥＴ要求を受信すると、ＨＴＴＰサーバ５１は、ＧＥＴ要求に含まれるＵＲＬに対応したデータを端末１へと配信する。
【００４６】
図５は、ＨＴＴＰサーバ５１の構成を示すブロック図である。
同図に示すようにＨＴＴＰサーバ５１は、システム制御部５１１と、バスインターフェイス部５１２と、通信部５１３と、状況情報記憶部５１４とを有している。また、システム制御部５１１は、顧客管理データベース５１５及び端末情報データベース５１６と接続されている。
【００４７】
ここで、通信部５１３は、インターネット４とシステム制御部５１１との間のデータの授受を仲介する。具体的には、通信部５１３は、インターネット４を経由して受信したデータをシステム制御部５１１に送ると共に、システム制御部５１１から送られてきたデータをインターネット４へと送出する。バスインターフェイス部５１２は、システム制御部５１１とバス５７との間のデータの授受を仲介する。
【００４８】
システム制御部５１１は、例えば、ＣＰＵ、ＲＯＭ、ＲＡＭ、ハードディスクを有し、ＨＴＴＰサーバ５１の各部を制御するための処理を実行する。ＲＯＭには、次のプログラムが格納されている。すなわち、端末１からＧＥＴ要求を受けた場合に、ＣＰＵが当該端末１に対して送信すべきデータを生成し、送信するための制御プログラム、当該端末１からの指示に従って、ＣＰＵがホームネットワーク６に対して制御命令を送信するための制御プログラム、および、ホームサーバ６１から警報が送信されてきた場合に、ＣＰＵが該警報に対応した電子メールを生成し、端末１へと送信するための制御プログラムが格納されている。ＣＰＵは、これらプログラムを実行することにより、各種処理を実行する。ＲＡＭは、ＣＰＵのワークエリアとして用いられる。
【００４９】
図６は、顧客管理データベース５１５の記憶内容を示す概念図である。同図に示されるように、顧客管理データベース５１５は、端末１のユーザのユーザＩＤに対応付けて、端末ＩＤと、当該ユーザが制御可能なホームネットワーク６のホームネットワークＩＤと、当該ユーザに対応したセキュリティレベルが格納されている。
【００５０】
ここで、ユーザＩＤは、ホームネットワーク管理サービスに加入するユーザに対して一意に割り当てられる識別子である。また、ホームネットワークＩＤには、ＨＴＴＰサーバ５１がネットワーク管理サーバ５５を介してホームサーバ６１と通信を行うためのアドレスが含まれている。
【００５１】
そして、セキュリティレベルとは、各ユーザがホームネットワーク６の遠隔制御を行う際における、制御に関する制限の度合を示している。すなわち、セキュリティレベルは、ユーザに制御を許可する範囲の広狭の程度を示しており、その違いによって以下のような差異が生じる。
（１）レベル１
レベル１は、制限が最も緩やかなレベルである。レベル１に設定された端末１を所有するユーザは、当該ホームネットワーク６に収容されているセキュリティシステム６３及び電子機器群６２の全ての遠隔制御が可能である。
（２）レベル２
レベル２に設定された端末１を所有するユーザは、電子機器群６２の遠隔制御は可能であるが、セキュリティシステム６３の遠隔制御については行うことができない。
（３）レベル３
レベル３に設定された端末１を所有するユーザは、当該ホームネットワーク６において、セキュリティシステム６３と、電子機器群６２の所定の制御項目に関する遠隔制御は行えない。
【００５２】
このように、セキュリティレベルをユーザ毎に設定することにより、ホームネットワーク６のセキュリティを確保することが可能となる。例えば、端末１のユーザが子供であり、当該ユーザにセキュリティレベル３が設定されている場合を考える。ここで、セキュリティレベル３が、電子機器郡６２のうち給湯器の制御が行えないよう予め設定されている場合、その子供によって、給湯器の温度が不適切に設定されることや、誤って家屋の施錠が解放されることを避けることが可能となる。
【００５３】
なお、このセキュリティレベルは、ホームネットワーク管理サービスに加入する際に、ユーザが設定する構成としても良いし、当該サービス加入後に変更できるようにしても良い。
【００５４】
次に、図７は、状況情報記憶部５１４の記憶内容を示す概念図である。
同図に示すように、状況情報記憶部５１４には、ホームネットワークＩＤに対応付けて、当該ホームネットワーク６の制御下の電子機器に関する電子機器カテゴリおよび状況情報が格納されている。この状況情報記憶部５１４に格納される状況情報は、端末１から状況情報の要求を受けた際にＨＴＴＰサーバ５１がホームサーバ６１から取得するものである。従って、ＨＴＴＰサーバ５１が端末１へ状況情報を送信する時点においては、状況情報記憶部５１４に格納される状況情報は、ホームサーバ６１の有している状況情報と同一となる。
【００５５】
その後、システム制御部５１１は、端末１のユーザからの指示に従い、この状況情報を変更する。そして、システム制御部５１１は、変更された状況情報が含まれる制御命令をホームサーバ６１へと送信する。
【００５６】
制御命令を受信すると、ホームサーバ６１は、制御命令に含まれる状況情報を、自らの有する状況情報テーブルＴＢＬ１-ｍに格納（上書き）する。そして、ホームサーバ６１は、この状況情報テーブルＴＢＬ１-ｍに格納されている状況情報に従って、ハードディスクに記憶されているドライバソフトウェアを実行し、各種電子機器を制御する。すなわち、ホームサーバ６１は、状況情報テーブルＴＢＬ１-ｍに格納されている状況情報が変更されると、当該状況情報に対応した制御を行う。
【００５７】
図８は、端末情報データベース５１６の記憶内容を示す概念図である。同図に示されるように、端末情報データベース５１６には、端末１の機種別（端末１のカテゴリ別を含む）に当該機種に対応した表示能力、通信能力、および通信規格（以下、「端末通信規格」という）が格納されている。ここで、端末通信規格とは、ＨＴＴＰサーバ５１が端末１と通信を行う際に従う通信規格であり、各端末１の機種やカテゴリによって異なるものである。例えば、端末１がノート型パソコンである場合、通信プロトコルとしてＨＴＴＰ１．１等に従うが、端末１が携帯電話機である場合、ＨＴＴＰのサブセットのプロトコル等に従う。
【００５８】
また、端末情報データベース５１６に格納されている表示能力と通信能力を表す指標は、どのようなものであっても構わないが、本実施形態においては、各端末１の表示能力及び通信能力の違いにより「レベル１」〜「レベル５」の５段階の表示能力レベル及び通信能力レベルによって表されている。例えば、表示能力レベルが「レベル１」である場合、当該端末１が、表示能力の低い携帯電話機等の通信端末であることを表す。これに対して、表示能力レベルが「レベル５」である場合、当該端末１が、表示能力の高いノート型パソコン等の通信端末であることを表す。通信能力レベルについても同様に、レベルが大きいほど通信能力が高いことを示す。
【００５９】
システム制御部５１１は、表示能力レベルや通信能力レベルに応じて、各端末１に配信すべきデータ（例えば、Ｗｅｂページ等）を変更する。例えば、通信能力及び表示能力の低い端末１宛に配信すべきデータについては、システム制御部５１１は、端末１によって受信可能なデータ量以内となるようにデータを生成したり、該端末１の表示部に表示可能な画像サイズや色数や階調数によってデータを生成したりする。また、ＨＴＭＬデータに対してイメージタグ等で画像イメージを付加する場合に、端末１の表示能力によって表示できない画像イメージのデータ形式を付加する場合がある。このような場合には、システム制御部５１１は、端末１の表示能力に合わせて、付加する画像イメージのデータ形式の変更等も行う。このように、データの配信先となる端末１の能力に応じて端末１に配信すべきデータを変更することにより、端末１が当該データを受信しきれないことや、当該データに対応した表示を行うことが出来ない等の不都合が生じることを防止することが可能となる。なお、イメージタグについては、従来のＨＴＭＬデータにおいて規定されているイメージタグと同様であるため、説明は省略する。
【００６０】
中継装置５２は、移動パケット通信網２とバス５７との間におけるデータの授受を仲介する。より具体的には、中継装置５２は、ＨＴＴＰサーバ５１が、インターネット４を介さず、移動パケット通信網２経由で端末１と直接通信を行う場合に、端末１から送信されてきたデータをバス５７が従うプロトコルへと変換してバス５７へと出力する。また、中継装置５２は、バス５７側から送られてきたデータを、移動パケット通信網２が従う伝送プロトコルのデータへと変換して移動パケット通信網２へと送信する。なお、移動パケット通信網２と中継装置５２を介してのホームネットワーク管理設備５との間の通信は、有線であっても良いし、無線であっても良い。
【００６１】
ＤＮＳサーバ５３は、ＨＴＴＰサーバ５１がインターネット４を介してデータの授受を行うために必要なＩＰアドレスやドメイン名の管理を行う。
【００６２】
認証サーバ５４は、端末からの認証要求があった場合に、当該端末のユーザが正当なユーザであるか否かを認証するためのサーバである。かかる機能を実現するため、認証サーバ５４は、認証データベース５４１を有している。
【００６３】
図９は、認証データベース５４１の記憶内容を示す図である。同図に示すように、認証データベース５４１には、各ユーザのユーザＩＤと対応付けてパスワードが格納されている。なお、この認証サーバ５４において行われる認証作業については、後述する。
【００６４】
ネットワーク管理サーバ５５は、当該ホームネットワーク管理設備５に収容されているホームネットワーク６と、ＨＴＴＰサーバ５１との間のデータの授受を管理する。また、ネットワーク管理サーバ５５は、サーバ情報データベース５５１を有している。図１０は、サーバ情報データベース５５１の記憶内容を示す概念図である。同図に示すように、サーバ情報データベース５５１には、各ホームネットワーク６のホームネットワークＩＤと対応付けてホームネットワーク６の従う通信規格（以下、「ネットワーク通信規格」という）が格納されている。ここで、ネットワーク通信規格とは、ホームサーバ６１が外部と通信を行う際に従う通信規格であり、例えば、ＨＴＴＰ１．０やＨＴＴＰ１．１、或いは、ノベル社（登録商標）による規格等がある。
【００６５】
課金サーバ５６には、ホームネットワーク管理サービスの提供に伴い、各ユーザに対して発生する管理料に対応した課金データが、ホームネットワーク６に対応付けられて記憶されている。この課金データの更新方法は、任意であり、例えば、月極で一定料金を累積するかたちで更新しても良いし、端末１を用いてホームネットワーク６の制御を行うたびに、所定の料金体系に従って累積するかたちで更新するようにしても良い。なお、本実施形態においては、端末１を用いてホームネットワーク６の遠隔制御を行うたびに課金されるものとする。
【００６６】
［１．２］第１実施形態の動作
以下の説明において、本実施形態の動作を次の順序で説明する。すなわち、（ａ）ユーザが端末１を用いてホームネットワーク６の遠隔制御を行う際の動作、（ｂ）ホームネットワーク６から、端末１に対して警報を送信する際の動作、の順に説明を行う。なお、以下の説明においては、上述した各データベース及びテーブルの記憶内容は、図６、図８、図９、および図１０に示すものと同一とする。また、端末１は、図８に示される機種名「機種ａ」（例えば、携帯電話機）であり、端末ＩＤとして「端末ａ」を有するものとする。また、当該端末１のユーザのユーザＩＤは、図９に示される「ｕｓｅｒ．ａ」であるものとする。
【００６７】
（ａ）ユーザが端末１を用いてホームネットワーク６内の電子機器を遠隔制御する際の動作
この動作には、以下の２つの動作例が存在する。
【００６８】
＜動作例１-ａ-１＞
本動作例では、端末１を用いてインターネット４経由でホームサーバ管理部５へとアクセスすることによって、ユーザがホームネットワーク６を遠隔制御する。
【００６９】
図１１は、本動作例のシーケンス図である。
まず、外出中に、番組の録画予約を忘れていたことに気付いたユーザは、端末１の指示入力部を操作することによって、ブラウジングを行う旨の入力を行う。端末１においては、その入力コマンドに従い、ＷＷＷブラウザが読み出される。そして、端末１は、移動パケット通信網２に対してパケット登録を行う。パケット登録とは、端末１が移動パケット通信網２を介してパケット交換を行うための登録手続きである。このようにして、パケット登録が行われると、端末１は、ゲートウェイサーバ３との間で、パケット交換を行うことが可能となる。
【００７０】
次に、端末１は、ＨＴＴＰサーバ５１に対する通信要求ＣＲ１を移動パケット通信網２へ送出する。ここで、端末１は、通信要求ＣＲ１に端末ＩＤ「端末ａ」を付加して送信する。なお、以降の端末１からホームネットワーク管理設備５への情報の送信においては、端末１は、各情報に端末ＩＤを付加して送信する。このようにして、端末１によって移動パケット通信網２へと送出された通信要求ＣＲ１は、その後、ゲートウェイサーバ３によって受信され、インターネット４を介してＨＴＴＰサーバ５１に送信される（ステップＳａ１）。
【００７１】
通信要求ＣＲ１を受信すると、ＨＴＴＰサーバ５１は、該端末１に対する機種名要求ＭＲ１をインターネット４へと送出する（ステップＳａ２）。この機種名要求ＭＲ１は、ゲートウェイサーバ３を介して端末１に送信される。端末１は、機種名要求ＭＲ１を受信すると、メモリから自らの機種名「機種ａ」を読み出す。そして、端末１は、ログイン画面を取得するために、機種名を付加したＧＥＴ要求ＧＲ１をＨＴＴＰサーバ５１に対して送信する（ステップＳａ３）。ここで、ログイン画面とは、図１２に示されるように、ユーザＩＤとパスワードの入力を促すための画面であって、端末１のユーザがＨＴＴＰサーバ５１にログインするためのものである。
【００７２】
一方、ＨＴＴＰサーバ５１においては、このＧＥＴ要求ＧＲ１を受信すると、システム制御部５１１が、図１１に示される動作と並行して、図１３にフローを示す処理を開始する。
【００７３】
まず、システム制御部５１１は、受信したＧＥＴ要求ＧＲ１に付加された機種名「機種ａ」を抽出して、ＲＡＭに格納する（図１３ステップＳｂ１）。そして、システム制御部５１１は、当該機種名「機種ａ」に対応した表示能力レベル（ここでは、「レベル１」）と、通信能力レベル（ここでは、「レベル１」）と端末通信規格（ここでは、「規格１」）を端末情報データベース５１６から読み出してＲＡＭに格納する（図１３ステップＳｂ２）。
【００７４】
次に、システム制御部５１１は、端末１に送信すべきログイン画面に対応したデータ（以下、「ログインデータ」という）を生成する。この際、システム制御部５１１は、ＲＡＭに格納されている表示能力レベル「レベル１」と、通信能力レベル「レベル１」に従い生成するログインデータを変更する。しかし、端末１の機種によって表示される画像の形態が著しく異なってしまうと、ユーザは、端末１の買い換え等を行った場合に操作しにくくなる可能性がある。そのため、システム制御部５１１は、端末１の全ての機種において表示される画面が、同様な形態（例えば画面のレイアウト）となるようにログインデータを生成する。これにより、ユーザは、端末１の全ての機種において似通った操作感を与えることが可能となる。
【００７５】
そして、システム制御部５１１は、ＲＡＭに格納されている端末通信規格「規格１」に従って、端末１に対するログインデータＬＤ１をインターネット４へと送出する（ステップＳａ４及び図１３ステップＳｂ３）。このようにして、ログインデータＬＤ１の送出が完了すると、システム制御部５１１においては、端末１からパスワード等が送信されてきたか否かを判定する処理へと移行する（図１３ステップＳｂ４）。そして、システム制御部５１１においては、端末１から送信されたパスワード等の情報を検出すべく、ステップＳｂ４の判定が繰り返される。
【００７６】
一方、ログインデータＬＤ１が端末１によって受信されると、端末１は、図１２に示されるような画像を表示部に表示する。ユーザは、この画像が表示されている状態において、指示入力部にユーザＩＤ「ｕｓｅｒ．ａ」、およびパスワード「×××××」を入力する操作を行い、決定を行う旨の入力操作を行う。そして、端末１は、次の画面を取得するために、入力されたユーザＩＤ「ｕｓｅｒ．ａ」及びパスワード「×××××」を付加した、ＧＥＴ要求ＧＲ２をＨＴＴＰサーバ５１に送信する（ステップＳａ５）。
【００７７】
一方、図１３において、このＧＥＴ要求を受信すると、ＨＴＴＰサーバ５１のシステム制御部５１１は、ステップＳｂ４における判定結果が「Ｙｅｓ」となり、ＧＥＴ要求ＧＲ２に付加されたユーザＩＤ「ｕｓｅｒ．ａ」と、パスワード「×××××」が抽出され、ＲＡＭに格納される（Ｓｂ５）。そして、システム制御部５１１は、ＲＡＭに格納したユーザＩＤ「ｕｓｅｒ．ａ」と、パスワード「×××××」を読みだし、バスインターフェイス部５１２を介して、認証サーバ５４へと送信する（図１１ステップＳａ６）。
【００７８】
次に、システム制御部５１１は、認証サーバ５４から認証結果が送られてきたか否かを判定する状態となる（図１３ステップＳｂ７）。そして、システム制御部５１１においては、認証サーバ５４から認証結果が送られてくるまで、ステップＳｂ７における判定が「Ｎｏ」となり、判定が繰り返される。
【００７９】
一方、図１１において、ユーザＩＤ「ｕｓｅｒ．ａ」およびパスワード「×××××」を受信した認証サーバ５４は、当該ユーザが正当なユーザであるか否かの認証が行う（ステップＳａ７）。このステップＳａ７において認証サーバ５４は、以下のような処理を実行する。
（１）認証サーバ５４は、ＨＴＴＰサーバ５１から送られてきたユーザＩＤ「ｕｓｅｒ．ａ」に対応したパスワードを認証データベース５４１から読み出す。
（２）認証サーバ５４は、読み出したパスワード「×××××」と、ＨＴＴＰサーバから送信されてきたパスワード「×××××」が一致するか否かによって認証する。
【００８０】
そして、認証サーバ５４は、その認証結果ＡＲをＨＴＴＰサーバ５１へと送る（ステップＳａ８）。認証結果ＡＲを受信すると、ＨＴＴＰサーバ５１のシステム制御部５１１においては、図１３ステップＳｂ７における判定が「Ｙｅｓ」となり、処理がステップＳｂ８へと進む。そして、システム制御部５１１は、認証サーバ５４から送られてきた認証結果が認証成功通知であるか否かを判定する（図１３ステップＳｂ８）。
【００８１】
ここで、仮に、ユーザの入力間違い等により、（２）における両パスワードが一致していないと判定された場合、認証サーバ５４は、認証失敗通知を認証結果ＡＲとして送信する。この場合、ＨＴＴＰサーバ５１のシステム制御部５１１においては、図１３ステップＳｂ８における判定が「Ｎｏ」となり、端末１に対して認証に失敗した旨を送信し、処理を終了する。この結果、端末１の表示部には、「認証に失敗しました。ホームネットワークの制御を行うことは出来ません。」等の表示がなされる。この場合、ユーザは、再度、同様の行為を行わなければならない。
【００８２】
これに対して、本動作例においては、パスワードが一致しているので、認証サーバ５４からは、認証成功通知が認証結果ＡＲとして送信される。この場合、システム制御部５１１においては、図１３ステップＳｂ８における判定が「Ｙｅｓ」となり、処理がステップＳｂ９へと進む。そして、システム制御部５１１は、ＲＡＭに格納されているユーザＩＤ「ｕｓｅｒ．ａ」に対応した、ホームネットワークＩＤ「ｈｏｍｅ．ａ」とセキュリティレベル「レベル１」とを顧客管理データベース５１５から読み出しＲＡＭへと格納する。以降の通信において、ホームネットワーク管理設備５は、端末１から受信した各種信号がホームネットワークＩＤ「ｈｏｍｅ．ａ」に対応するホームネットワーク６の電子機器の制御に関する信号であると判断する。
【００８３】
この時点で、システム制御部５１１のＲＡＭには、端末ＩＤ「端末ａ」、ユーザＩＤ「ｕｓｅｒ．ａ」、パスワード「×××××」、セキュリティレベル「レベル１」、ホームネットワークＩＤ「ｈｏｍｅ．ａ」、機種名「機種ａ」、表示能力レベル「レベル１」、通信能力レベル「レベル１」、および端末通信規格「規格１」という情報が格納されている。
【００８４】
次に、システム制御部５１１は、ＲＡＭに格納されているホームネットワークＩＤ「ｈｏｍｅ．ａ」を読み出し、ホームネットワークＩＤを付加した状況情報要求ＳＲ１をネットワーク管理サーバ５５へと送る（図１１ステップＳａ９及び図１３ステップＳｂ１０）。そして、システム制御部５１１は、ネットワーク管理サーバ５５から状況情報ＳＩ１が送信されてきたか否かを判定する状態となり、ホームサーバ６１から状況情報ＳＩ１が送信されてくるまで、ステップＳｂ１１における判定は、「Ｎｏ」となる（図１３ステップＳｂ１１）。
【００８５】
図１１において、ネットワーク管理サーバ５５は、この状況情報要求ＳＲ１を受け取ると、状況情報要求ＳＲ１に含まれているホームネットワークＩＤ「ｈｏｍｅ．ａ」を抽出し、サーバ情報データベース５５１から当該ホームネットワークＩＤ「ｈｏｍｅ．ａ」に対応したネットワーク通信規格「規格１」を読み出す（ステップＳａ１０）。そして、ネットワーク管理サーバ５５は、以後、ネットワーク通信規格「規格１」に従って、当該ホームサーバ６１と通信を行う。
【００８６】
次に、ネットワーク管理サーバ５５は、ホームサーバ６１に対して状況情報要求ＳＲ１を送信する（ステップＳａ１１）。状況情報要求ＳＲ１を受信すると、ホームサーバ６１は、自らのホームネットワークＩＤを付加した各電子機器の電子機器カテゴリおよび当該電子機器の状況情報ＳＩ１をネットワーク管理サーバ５５へと送信する（ステップＳａ１２）。ここで、ホームサーバ６１は、状況情報ＳＩ１にホームネットワークＩＤ「ｈｏｍｅ．ａ」を付加して送信する。なお、以降のホームサーバ６１からホームネットワーク管理設備５への情報の送信においては、ホームサーバ６１は、各情報にホームネットワークＩＤ「ｈｏｍｅ．ａ」を付加して送信する。そして、この状況情報ＳＩ１は、ネットワーク管理サーバ５５によってＨＴＴＰサーバ５１へと転送される（ステップＳａ１３）。
【００８７】
一方、ＨＴＴＰサーバ５１のシステム制御部５１１においては、状況情報ＳＩ１を受信すると、図１３ステップＳｂ１１における判定が「Ｙｅｓ」となり、処理がステップＳｂ１２へと進む。そして、システム制御部５１１は、ホームサーバから送信されてきた状況情報と電子機器カテゴリをホームネットワークＩＤ「ｈｏｍｅ．ａ」に対応付けて、状況情報記憶部５１４へと格納する（図１３ステップＳｂ１２）。例えば、ホームサーバ６１から送信されてきた状況情報と電子機器カテゴリが図３に示されるものであれば、ＨＴＴＰサーバ５１の状況情報記憶部５１４には、システム制御部５１１によって、図７に示される状況情報が格納される。
【００８８】
ここで、状況情報記憶部５１４に格納される状況情報は、端末１のセキュリティレベルによって決定される。詳述すると、システム制御部５１１は、ホームサーバ６１から受信された状況情報のうち端末１のユーザのセキュリティレベルに対応したもの、すなわち、端末１から遠隔制御することが可能な電子機器に関する状況情報のみを状況情報記憶部５１４に格納する。
【００８９】
本動作例の場合、当該ユーザに対応したセキュリティレベルは、「レベル１」である。このセキュリティレベルにおいては、端末１のユーザは、セキュリティシステム６３を含む全ての電子機器の遠隔制御が可能である。そこで、システム制御部５１１は、受信した全ての状況情報を状況情報記憶部５１４に格納する。
【００９０】
ここで、仮に、端末１のユーザに対応するセキュリティレベルが、セキュリティシステム６３以外の電子機器の遠隔制御が可能なセキュリティレベルである「レベル２」であったとする。この場合、システム制御部５１１は、取得した状況情報に含まれるセキュリティシステム６３に関する状況情報を破棄して、それ以外の電子機器に関する状況情報のみを状況情報記憶部５１４に書き込む。このように、セキュリティレベルに応じて、ユーザが遠隔制御を許可されない電子機器に関する状況情報が破棄されることにより、ユーザによる当該電子機器に対する誤制御を防止することが可能となる。
【００９１】
次に、ＨＴＴＰサーバ５１は、端末１との間においてホームネットワーク制御処理を実行する（図１３ステップＳｂ１３）。
【００９２】
図１４Ａ、１４Ｂ、１４Ｃ、１４Ｄ、１４Ｅ、１４Ｆ、１４Ｇ、１４Ｈ、１４Ｉ、１４Ｊ、１４Ｋ、１４Ｌ、１４Ｍ、１４Ｎ、１５Ａ、１５Ｂ、１５Ｃ、１５Ｄ、１５Ｅ、１５Ｆ、１５Ｇ、１５Ｈ、１５Ｉ、１５Ｊ、１５Ｋ、１５Ｌ、１６Ａ、１６Ｂ、１６Ｃ、１６Ｄ、および図１６Ｅは、ホームネットワーク制御処理を行う際に端末１の表示部に表示される画像の遷移を示した図である。
【００９３】
この処理において、システム制御部５１１は、まず、状況情報記憶部５１４に格納されている電子機器カテゴリ（すなわち、電子機器名）をメニュー項目とするメニューデータＭＤ１を生成する。
【００９４】
ここで、メニューデータＭＤ１とは、状況情報記憶部５１４に記憶される状況情報を基に、システム制御部によって生成されるＨＴＭＬデータの１つである。より詳細には、このＨＴＭＬデータは、当該ホームネットワーク６に収容される電子機器群６２のうちユーザによって制御が可能な電子機器の状況を示すとともに、ユーザに対して電子機器の制御命令の入力を促すための画面を端末１の表示部に表示するためデータである。また、このＨＴＭＬデータによって表示される画面には、ユーザが詳細な情報を得るため、および、ユーザが制御項目等を選択するためのＵＲＬがアンカータグによって指定されている。これにより、端末１は、例えばＲＡＳなど、特別な遠隔制御機能に関するソフトウェアを掲載しなくても、汎用性の高いＷＷＷブラウザを掲載しているだけで電子機器の遠隔制御が可能となる。なお、アンカータグは、ＨＴＭＬデータ内において、リンク先を指定するためのタグであるが、従来から用いられている技術であるので説明は省略する。
【００９５】
さらに、ＨＴＭＬデータの生成に関し、ＨＴＴＰサーバ５１は、端末１の表示能力レベル「レベル１」と、通信能力レベル「レベル１」に応じてＨＴＭＬデータを生成する。これにより、表示能力の低い端末１が受信したデータを適切に表示できないという不都合が起こることはない。また、通信能力の低い端末１が、過剰な情報を受信するという不都合が起こることはない。
【００９６】
そして、システム制御部５１１は、メニューデータＭＤ１を、ホームネットワークＩＤ「ｈｏｍｅ．ａ」に対応した端末１に送信する（ステップＳａ１４）。詳述すると、システム制御部５１１は、端末通信規格「規格１」に従ってメニューデータＭＤ１を送信する。
【００９７】
メニューデータＭＤ１を受信した端末１の表示部には、セキュリティレベルの範囲内でユーザが遠隔制御可能な電子機器名がメニュー項目として表示される。具体的には、端末１は、図１４Ａに示されるメニュー項目を表示部に表示する。次に、ユーザは、録画予約を行うため、端末１の表示部に、図１４Ａに示す画像が表示されている状態において、メニュー項目「ビデオデッキ」を指定する入力操作を行う。この入力操作により、端末１の表示部においては、メニュー項目「ビデオデッキ」が反転表示される。この状態において、ユーザが端末１の指示入力部に対して決定を行う旨の入力操作を行うと、端末１は、当該メニュー項目に対応したＵＲＬをメニューデータＭＤ１から読み出す。そして、端末１は、読み出したＵＲＬを含むＨＴＭＬデータのＧＥＴ要求ＧＲ３をＨＴＴＰサーバ５１に対して送信する（ステップＳａ１５）。
【００９８】
一方、ＧＥＴ要求ＧＲ３受信すると、ＨＴＴＰサーバ５１は、ＧＥＴ要求ＧＲ３からＵＲＬを抽出する。そして、ＨＴＴＰサーバ５１は、このＵＲＬから当該端末１に対して配信すべきデータが「ビデオデッキ」の設定画面に対応したものであると判定する。
【００９９】
次に、ＨＴＴＰサーバ５１は、状況情報記憶部５１４から「ビデオデッキ」に対応した状況情報の内、「録画可能時間」を読み出し、「録画可能時間」を含む設定画面データＳＳをＨＴＭＬデータによって生成して、端末１へと送出する（ステップＳａ１６）。なお、設定画面データＳＳは、ＨＴＴＰサーバ５１のＷｅｂページに対応したものとなっており、更に、「ビデオデッキ」に関するメニュー項目（ＵＲＬ対応）が含まれている。
【０１００】
一方、このＨＴＭＬデータを受信した端末１は、図１４Ｅに示される、「録画予約」、「録画情報」及び「戻る」等のメニュー項目を有する設定画面を表示部に表示する。ここで、「録画予約」とは当該ユーザが遠隔制御を行う「ビデオデッキ」に対して、番組録画を行うためのメニュー項目であり、「録画情報」とは「ビデオデッキ」に予約されている番組録画の予約状況を確認するためのメニュー項目であり、「戻る」とは上述したメニューデータＭＤ１に対応した画面へと戻ることを意味する。
【０１０１】
ユーザが録画予約を行うため、端末１の指示入力部に対して、メニュー項目「録画予約」を選択する入力操作を行うと、端末１は、「録画予約」に対応したＵＲＬを読み出し、当該ＵＲＬを含むＧＥＴ要求をＨＴＴＰサーバ５１へと送信する。当該ＧＥＴ要求を受信したシステム制御部５１１は、ＧＥＴ要求に付加されたＵＲＬに対応したＨＴＭＬデータ（設定画面に対応したもの）を生成し、端末１に対するＨＴＭＬデータをインターネット４へと送出する。このＨＴＭＬデータを受信すると、端末１においては、図１４Ｆに示すような、設定画面が表示される。
【０１０２】
次に、ユーザは、自らの録画しようとする番組の「録画開始時刻」と、「録画終了時刻」と、「録画チャネル」（これらを纏めて、「録画予約情報」という）を指定する入力操作を行う。すると、端末１は、入力された録画予約情報を含むＧＥＴ要求を移動パケット通信網２へと送信する。
【０１０３】
このＧＥＴ要求を受信したＨＴＴＰサーバ５１においては、システム制御部５１１が当該ＧＥＴ要求に付加されている録画予約情報に基づいて状況情報を生成し、該状況情報を状況情報記憶部５１４に格納する。そして、ＨＴＴＰサーバ５１は、録画予約を受け付けた旨を示すＨＴＭＬデータを生成し、端末１に対するＨＴＭＬデータをインターネット４へ送出する。このＨＴＭＬデータを受信すると、端末１は、図１４Ｇに示すような画像を表示部に表示する。
【０１０４】
次に、ユーザが、本当に録画予約がなされたか否かを確認するために「録画情報」というメニュー項目を選択すると、端末１は、「録画情報」に対応したＵＲＬを含むＧＥＴ要求を、ＨＴＴＰサーバ５１に対して送信する。このＧＥＴ要求を受信するとＨＴＴＰサーバ５１のシステム制御部５１１は、当該ＧＥＴ要求に従い、状況情報記憶部５１４に格納されている状況情報の中から、録画予約に関連する情報を読み出す。そして、システム制御部５１１は、該状況情報を含むＨＴＭＬデータを生成して、端末１に対して送信する。このＨＴＭＬデータを端末１が受信すると、端末１は、図１４Ｈに示すような画像を表示部に表示する。
【０１０５】
また、ユーザが外出中に「洗濯物を干しているのにエアコンのスイッチを切って外出してしまった。このままでは、家に黴が発生する。今すぐ、エアコンのスイッチを入れよう。」と思いついたとする。この場合、ユーザは、図１４Ａに示すような画像が端末１の表示部に表示されている状態において、「エアコン」を選択する。この場合、ＨＴＴＰサーバ５１のシステム制御部５１１は、「エアコン」に対応したＨＴＭＬデータ（設定画面に対応したもの）を生成して、インターネット４へと送出する。そして、ビデオデッキの録画予約と同様の処理が実行されることにより、状況情報記憶部５１４に格納されている状況情報の変更が行われる。すなわち、「エアコン」の電源に対応した状況情報がシステム制御部５１１によって「ＯＮ」へと変更される。
【０１０６】
同様に、ユーザが「セキュリティシステム」を選択した場合、図１４Ｂ、１４Ｃ、および図１４Ｄのように端末１の表示部に表示される画面が遷移し、ユーザが「照明器具」を選択した場合、図１４Ｊ、１４Ｋ、１４Ｌ、１４Ｍ、および図１４Ｎのように表示部に表示される画面が遷移する。図１５Ａ、１５Ｂ、１５Ｃ、１５Ｄ、１５Ｅ、１５Ｆ、１５Ｇ、１５Ｈ、１５Ｉ、１５Ｊ、１５Ｋ、１５Ｌ、１６Ａ、１６Ｂ、１６Ｃ、１６Ｄ、および図１６Ｅについても同様である。
【０１０７】
このようにして、ユーザが電子機器の制御内容を入力した後、端末１の指示入力部に対して、制御を終了する旨の入力操作を行うと、端末１は、決定信号ＤＳ１をＨＴＴＰサーバ５１に対して送信する（ステップＳａ１７）。
【０１０８】
この決定信号ＤＳ１を受信すると、ＨＴＴＰサーバ５１のシステム制御部５１１は、状況情報記憶部５１４に格納されている、変更された状況情報を付加した、制御命令ＣＩ１をネットワーク管理サーバ５５へと送信する（ステップＳａ１８及び図１３ステップＳｂ１４）。そして、この制御命令ＣＩ１は、ネットワーク管理サーバ５５によってホームサーバ６１へと転送され、ホームサーバ６１によって受信される（ステップＳａ１９）。
【０１０９】
ホームサーバ６１の制御部６１１は、受信した制御命令ＣＩ１から状況情報を抽出して、状況情報テーブルＴＢＬ１-ｍに上書きする。そして、制御部６１１は、状況情報テーブルＴＢＬ１-ｍの変更された状況情報に対応した電子機器のドライバソフトウェアを読み出し、変更された状況情報に従って電子機器の制御を行う。この結果、ユーザが所望していた番組の録画予約が行われると共に、「エアコン」電源が「ＯＮ」へと変更される。
【０１１０】
そして、ホームサーバ６１は、制御命令ＣＩ１によって指定された制御を行った旨を示す制御完了情報を、ネットワーク管理サーバ５５に送信する。ネットワーク管理サーバ５５は、制御完了情報を受信し、ＨＴＴＰサーバ５１へと転送する。ＨＴＴＰサーバ５１は、制御完了情報を受信すると、課金サーバ５６に対して、当該ホームネットワークＩＤと共に制御完了情報を送信する。この結果、課金サーバ５６においては、当該遠隔制御に対応した課金データにより累積される形で課金される。
【０１１１】
＜動作例１-ａ-２＞
本動作例は、端末１を用いて、インターネット４を介さずにホームネットワーク管理設備５と直接通信を行う際の動作例である。
以下、図１７を参照して、本動作例について説明するが、本動作例は、基本的に動作例１-ａ-１と同様であるため異なる点についてのみ説明を行う。
【０１１２】
まず、ユーザが端末１の指示入力部を操作することによって、移動パケット通信網２を介して直接ホームネットワーク管理設備５の中継装置５２と通信を行う旨の入力操作を行う。端末１においては、その入力操作に従い、上述したアクセスブラウザが読み出される。
【０１１３】
そして、端末１は、移動パケット通信網２に対してパケット登録を行う。このようにして、パケット登録が行われると、端末１は、中継装置５２との間において、パケット交換を行うことが可能となる。
【０１１４】
次に、端末１は、中継装置５２に対して、通信要求ＣＲ２を送信する（ステップＳｃ１）。通信要求ＣＲ２を受信した、中継装置５２は、通信要求ＣＲ２をＨＴＴＰサーバ５１へと転送する（ステップＳｃ２）。
【０１１５】
通信要求ＣＲ２を受信すると、ＨＴＴＰサーバ５１のシステム制御部５１１は、中継装置５２に対して機種名要求ＭＲ２を送る（ステップＳｃ３）。機種名要求ＭＲ２を受信すると中継装置５２は、機種名要求ＭＲ２を端末１へ転送する（ステップＳｃ４）。この機種名要求ＭＲ２を受信すると、端末１は、メモリから自らの機種名「機種ａ」を読み出す。そして、端末１は、メニューデータを取得するため、機種名を付加したＧＥＴ要求ＧＲ４を、中継装置５２に対して移動パケット通信網２へと送出する（ステップＳｃ５）。このようにして、端末１によって移動パケット通信網２へと送出されたＧＥＴ要求ＧＲ４は、中継装置５２によって受信され、ＨＴＴＰサーバ５１へと転送される（ステップＳｃ６）。
【０１１６】
ＧＥＴ要求ＧＲ４を受信すると、ＨＴＴＰサーバ５１のシステム制御部５１１においては、図１８にフローを示す処理が開始される。
まず、システム制御部５１１は、ＧＥＴ要求ＧＲ４に付加された機種名「機種ａ」を抽出して、ＲＡＭに格納する（図１８ステップＳｄ１）。
【０１１７】
そして、システム制御部５１１は、当該機種名「機種ａ」に対応した表示能力レベル（今の場合、「レベル１」）と、通信能力レベル（今の場合、「レベル１」）と、端末通信規格「規格１」を端末情報データベース５１６から読み出してＲＡＭに格納する（図１８ステップＳｄ２）。
【０１１８】
次に、システム制御部５１１は、ＲＡＭに格納されている端末ＩＤ「端末ａ」に対応したユーザＩＤ「ｕｓｅｒ．ａ」と、ホームネットワークＩＤ「ｈｏｍｅ．ａ」と、セキュリティレベル「レベル１」を顧客管理データベース５１５から読み出しＲＡＭへと格納する。
【０１１９】
この時点で、システム制御部５１１のＲＡＭ上には、端末ＩＤ「端末ａ」、ユーザＩＤ「ｕｓｅｒ．ａ」、セキュリティレベル「レベル１」、ホームネットワークＩＤ「ｈｏｍｅ．ａ」、機種名「機種ａ」、表示能力レベル「レベル１」、通信能力レベル「レベル１」、および端末通信規格「規格１」という情報が格納されている。
【０１２０】
このようにして、各種情報がＲＡＭに格納されると、以降、図１７ステップＳｃ７〜Ｓｃ２１において図１１ステップＳａ９〜Ｓａ１９と同様の処理が実行され、また、図１８ステップＳｄ４〜Ｓｄ８において図１３ステップＳｂ１０〜Ｓｂ１４と同様の処理が行われる。
【０１２１】
この結果、ホームネットワーク６に収容される電子機器群６２及びセキュリティシステム６３の制御が行われる。
【０１２２】
（ｂ）ホームネットワーク６側からの警報を端末１に送信する際の動作
以下、図１９を参照して、ホームネットワーク６側からの警報を端末１に送信する際の動作について説明を行う。
【０１２３】
まず、セキュリティシステム６３によって、その検出対象が所定の状態になったことが検出される。より具体的には、セキュリティシステム６３は、例えば、「施錠状態であるにも関わらず、勝手にドアが開いた」等の非常事態を検出する。非常事態を検出すると、セキュリティシステム６３は、ホームサーバ６１に対して非常信号である警報ＡＣ１を送信する（ステップＳｅ１）。この際、セキュリティシステム６３は、当該家屋にて発生した非常事態の内容、すなわち、「施錠状態であるにも関わらず、勝手にドアが開いた」等の情報を警報ＡＣ１に付加する。
【０１２４】
警報ＡＣ１は、ホームサーバ６１によってホームネットワークＩＤ「ｈｏｍｅ．ａ」が付加された後、ネットワーク管理サーバ５５へと転送され、ネットワーク管理サーバ５５によってＨＴＴＰサーバ５１へと転送される（ステップＳｅ２及びＳｅ３）。
【０１２５】
警報ＡＣ１を受信すると、ＨＴＴＰサーバ５１のシステム制御部５１１は、発生した非常事態の情報を警報ＡＣ１から抽出し、その情報をＲＡＭへと格納する。そして、システム制御部５１１は、ホームネットワーク６に対応したユーザに非常事態が発生したという旨の警告を行うため、電子メールＥＭ１を生成し、ホームネットワークＩＤ「ｈｏｍｅ．ａ」に対応した端末１に対してインターネット４へと送出する（ステップＳｅ４）。この際、システム制御部５１１によって生成される電子メールＥＭ１は、警報ＡＣ１の内容、及びＨＴＴＰサーバ５１のログイン画面に対応したＵＲＬが含まれている。
【０１２６】
電子メールＥＭ１を受信すると、端末１は、図２０Ａに示されるような、電子メールＥＭ１に対応した画像を表示部に表示する。なお、この際、電子メールＥＭ１が受信された端末１において、警報音が出力されるようにしても良い。
【０１２７】
この状態において、ユーザが端末１の指示入力部を操作することにより「ホームサーバにログイン」なるコマンドボタンを選択する旨の入力操作を行うと、端末１は、受信した電子メールＥＭ１から当該ログインデータに対応したＵＲＬを抽出し、該ＵＲＬを含むＧＥＴ要求ＧＲ５を、ＨＴＴＰサーバ５１に対して移動パケット通信網２へと送出する（ステップＳｅ５）。この際、端末１は、このＧＥＴ要求ＧＲ５に自らの機種名を付加した後送信する。
【０１２８】
次に、このＧＥＴ要求ＧＲ５を受信したＨＴＴＰサーバ５１のシステム制御部５１１は、ログインデータＬＤ２を生成して、端末１に対してインターネット４へと送出する（ステップＳｅ６）。このようにして、ログインデータＬＤ２の送信が行われると、端末１とホームネットワーク管理設備５の間において、上述した図１１のステップＳａ５〜Ｓａ１３と同様の処理が実行される。
【０１２９】
次に、ＨＴＴＰサーバ５１のシステム制御部５１１は、端末１に対して、メニューデータＭＤ３を送信する（ステップＳｅ７）。この際、ＨＴＴＰサーバ５１のシステム制御部５１１は、端末１の通信能力レベル及び表示能力レベルに応じて、生成するメニューデータＭＤ３を変更する。なお、通信能力レベル等に応じてメニューデータを変更する際の動作については、上述したので詳細は省略する。
【０１３０】
メニューデータＭＤ３を受信すると、端末１は、図２０Ｂに示されるような、ユーザに対して当該非常事態への対処を促す画像を表示部に表示する。  この状態において、ユーザが「通報」を選択する旨の入力操作を行うと、端末１は、該メニューデータから「通報」に対応したＵＲＬを抽出して、当該ＵＲＬを含むＧＥＴ要求をＨＴＴＰサーバ５１へと送信する。ＨＴＴＰサーバ５１のシステム制御部５１１は、該ＧＥＴ要求を受信すると、移動パケット通信網２に収容されたサービス制御局に問い合わせ、該ホームネットワーク６の設置されている家屋の住所及び居住者（ここでは、ユーザ）の氏名等を問い合わせる。そして、ＨＴＴＰサーバ５１のシステム制御部５１１は、サービス制御局から送信されてきた住所及び氏名を付加して、通報先サーバ７へと通報する。この結果、警察署、或いは、警備会社において通報がなされた旨のイベントが発生して、警察官、或いは、警備員が当該住所へと出向くこととなる。
【０１３１】
一方、ユーザが端末１の指示入力部に対して「再施錠」を行う旨の操作を行うと、端末１は、該メニューデータから「再施錠」に対応したＵＲＬを抽出して、該ＵＲＬを含む決定信号ＤＳ３をＨＴＴＰサーバ５１に対して送信する（ステップＳｅ８）。決定信号ＤＳ３を受信すると、ＨＴＴＰサーバ５１のシステム制御部５１１は、決定信号ＤＳ３に従って状況情報記憶部５１４に記憶されている状況情報を変更する。そして、システム制御部５１１は、当該状況情報を付加した制御命令ＣＩ３をネットワーク管理サーバ５５を介して、ホームサーバ６１へと送信する（ステップＳｅ９及びＳｅ１０）。
【０１３２】
制御命令ＣＩ３を受信すると、ホームサーバ６１の制御部６１１は、制御命令ＣＩ３から状況情報を抽出して、状況情報テーブルＴＢＬ１-ｍに上書きする。そして、制御部６１１は、変更された状況情報に従って、電子機器のドライバソフトウェアを読み出し、電子機器の制御を行う。これにより、セキュリティシステム６３によって、ドアが再施錠される。
【０１３３】
このように本実施形態にかかるホームネットワーク管理システムによれば、ユーザは、端末１の表示部に表示される文字情報により、ホームネットワークに収容される電子機器の状況を知り、遠隔制御することができる。そのため、本実施形態に係るホームネットワーク管理システムによる遠隔操作は、従来のＤＴＭＦ信号による操作方式のものと比較して、操作が煩雑でない。
【０１３４】
また、ＨＴＴＰサーバ５１は、ユーザに対して電子機器の状況を示すとともに、電子機器の制御命令の入力を促すため画像を端末１の表示部に表示するための情報をＨＴＭＬ形式に従って生成する。これにより、端末１は、例えばＲＡＳなど、特別な遠隔制御機能に関するソフトウェアを掲載しなくても、汎用性が高いＷＷＷブラウザを掲載しているだけで電子機器の遠隔制御が可能となる。このため、既存の携帯電話機等の簡易な端末であっても、ホームネットワークに組み込まれた電子機器の制御を行うことが可能となる。また、ホームサーバ６１は、電子機器の遠隔制御を行うにあたり、ユーザに電子機器の状況を逐次的に示す処理、ユーザに電子機器の制御命令の入力を促す処理、および、それら処理にかかる端末１との直接のデータ通信を行う必要がない。これにより、ホームサーバ６１は、簡易なもので済む。さらに、ホームサーバ６１をインターネットへ常時接続する必要がないため、ホームネットワーク管理システムによる遠隔制御は、ユーザが負担する費用を抑えることが可能である。
【０１３５】
また、ホームネットワーク管理設備６は、端末１の表示能力や通信能力に応じて、該端末に送信すべきデータのデータ量等を決定するため、確実に端末１のユーザに対してホームネットワークの状況を示すことが可能となる。また、この際、端末１に送信されるログイン画面や設定画面は、ＨＴＴＰサーバにより端末の機種とは無関係に同様な形態で生成される。従って、端末１のユーザは、操作に違和感を覚えることなく、ホームネットワークに組み込まれた電子機器を遠隔制御することが可能となる。
【０１３６】
また、本実施形態においては、ホームネットワーク６が設置された家屋に非常事態が発生した場合、ホームサーバ６１がホームネットワーク管理設備５へと警報を送信し、該警報に基づいてホームネットワーク管理設備６が端末１へと電子メールを送信する構成となっている。このため、ホームネットワーク６が設置された家屋において、非常事態が発生した場合に、その非常事態の内容を端末１のユーザに対して報知することが可能となる。
【０１３７】
また、本実施形態においては、警報を通知した後に、ホームネットワーク管理設備５が端末１からの指示に従って警察や警備会社への通報を行う構成となっている。このため、緊急時の通報について、家屋の管理者であるユーザの意志に基づいて行われることが可能となる。
【０１３８】
なお、本実施形態において、ＨＴＴＰサーバ５１の状況情報記憶部５１４に格納される状況情報は、端末１からのアクセスがなされた場合に、ホームサーバ６１から取得される構成となっている。しかし、ホームサーバ６１とＨＴＴＰサーバ５１の間において、常時、状況情報を共有する構成としても構わない。この場合、ホームサーバ６１側において状況情報に変化が生じた場合には、ホームサーバ６１側から主体的にＨＴＴＰサーバ５１へと状況情報を送信するようにすればよい。
【０１３９】
なお、本実施形態においては、ＨＴＴＰサーバ５１は、ＨＴＭＬデータの生成に関して、あるＵＲＬがユーザによって選択されると、その都度当該ＵＲＬに対応する画面のＨＴＭＬデータを生成し、端末１に送信する構成となっているが、一括してＨＴＭＬデータを生成してもよい。例えば、ＨＴＴＰサーバ５１が、図１１におけるステップＳａ１３の状況情報ＳＩ１の取得後に、電子機器の遠隔制御に関する全てのＨＴＭＬデータを階層的に生成しても良い。
【０１４０】
なお、本実施形態においては、端末１からの指示に従い、ＨＴＴＰサーバ５１が状況情報の変更を行い、変更された状況情報を制御命令に付加してホームサーバ６１へと送ることによって各電子機器の遠隔制御を行う構成となっている。しかしながら、状況情報を付加すること無く、制御命令の内容を変更することによって各電子機器の遠隔制御を行う構成としても良い。
【０１４１】
なお、本実施形態においては、ホームサーバ６にイベントが発生した場合に、ネットワーク管理サーバ５５を介して電子メールによって端末１に通達する情報の内容は、非常事態である例を説明した。しかし、通達する情報の内容は、非常事態に限られず、ユーザの所望するイベントであれば良い。
【０１４２】
なお、本実施形態においては、ＨＴＴＰサーバ５１は、ユーザのセキュリティレベルに応じて、ユーザが遠隔制御を許可されない電子機器に関する状況情報を破棄した後、状況情報を状況情報記憶部５１４に記憶する例を示した。そのため、ユーザは、遠隔制御が許可されない制御項目に関し、制御のみならず、その状況情報を知ることもできない。しかし、遠隔制御が許可されない制御項目に関し、ユーザによって制御はできないが、ユーザに対して状況情報を示すＨＴＭＬデータを生成するＨＴＴＰサーバ５１であっても良い。
なお、本実施形態において、ホームネットワーク管理サーバ５は、移動パケット通信網２を介して、ホームサーバ６１と通信を行う構成となっているが、当然ながら、両サーバ間における通信路は、有線やローカルなネットワークであっても構わない。
【０１４３】
［１．３］変形例
＜変形例１-１＞
本実施形態において顧客管理データベース５１５には、ユーザに対応付けて、１つのホームネットワークＩＤやセキュリティレベルを格納した形態となっている。すなわち、各ユーザは、一のホームネットワーク６に対応付けられているのである。しかし、以下のような態様をとっても構わない。
【０１４４】
図２１は、本変形例にかかる、顧客管理データベース５１５の記憶内容を示す図である。同図に示すように、顧客管理データベース５１５には、ユーザＩＤ及び端末ＩＤの各々に対応付けて、複数のホームネットワークＩＤが格納されている。そして、このホームネットワークＩＤの各々に対応付けて、セキュリティレベルが格納されている。
すなわち、本変形例においては、一台の端末１に対して、複数のホームネットワーク６をユーザが遠隔制御することができるホームネットワーク管理システムが提供される。ここで、本変形例において、ログイン画面には、図１２に示すユーザＩＤとパスワード入力する欄の他に、ホームネットワークＩＤを入力する欄が設けられる。そして、ＨＴＴＰサーバ５１の制御部５１１は、端末１から送られてきたユーザＩＤとパスワードを認証サーバ５４に送ってユーザ認証を行う。また、この際、システム制御部５１１は、送られてきたホームネットワークＩＤに対応付けられたセキュリティレベルを顧客管理データベース５１５から読み出す。そして、システム制御部５１１は、そのセキュリティレベルで遠隔制御可能な範囲内で、端末１からの命令に対応したホームネットワーク６の制御を行うのである。
【０１４５】
ここで、本変形例の適用範囲としては、例えば、次のような場合が想定される。例えば、独立して１つの家、或いは、マンションの１室を有しているユーザが、年老いた親の面倒を見ている。この親が当該ユーザとは違う家に住んでいる場合、当該ユーザは、自らの家のホームネットワークのみならず、その親の家のホームネットワーク６をも遠隔制御を行いたいと考えることがある。
【０１４６】
かかる場合に、本変形例によれば、各ユーザにより遠隔制御が可能なホームネットワーク６が複数存在するため、ユーザが端末１を用いてホームネットワーク管理設備５へとアクセスして親の家のホームネットワーク６内の電子機器を遠隔制御することも可能となる。
【０１４７】
＜変形例１-２＞
本実施形態において、ＨＴＴＰサーバ５１から端末１に配信すべきデータ（例えば、ログインデータやメニューデータ等）は、端末１の通信能力と表示能力に応じて変更される構成となっている。しかし、通信能力や表示能力だけでは無く、ユーザの年齢や性別によって、その画像内容を変更する構成としても構わない。すなわち、端末１側の表示能力等が許す範囲内において、例えば、ユーザが小さな子供であるならば、端末１に表示される画像中にかわいらしい絵柄等をあしらう構成としても良い。
【０１４８】
この場合、顧客管理データベース５１５に各ユーザの年齢も格納しておき、ＨＴＴＰサーバ５１のシステム制御部５１１が端末１に送信すべきデータ（例えば、ログインデータに対応したもの）を生成するにあたりユーザの年齢を加味し、該ユーザの年代に最も親しまれやすい絵柄を加えてデータを生成することとなる。
また、本実施形態においては、端末１の表示部に表示される情報は、文字情報によって表示される例を示したが、これに限られず、ＧＵＩ（graphical user interface）によって各種情報を表示しても良い。
【０１４９】
＜変形例１-３＞
本実施形態において顧客管理データベース５１５には、ユーザの生年月日等の情報は、格納されていない。しかし、顧客管理データベース５１５にユーザの生年月日を格納することにより、ユーザの年齢に応じて、該ユーザのセキュリティレベルを自動的に変更することも可能である。
【０１５０】
例えば、ユーザがホームネットワーク６の設置されている家庭の子供である場合に、中学生になるまでは、セキュリティレベルを「レベル２」に設定しておきたいことがある。かかる場合に、顧客管理データベース５１５にユーザの生年月日及び該生年月日から算出される年齢を格納しておく。そして、ＨＴＴＰサーバ５１によって、ユーザが中学生に対応する年齢になった時点で、該ユーザに対応付けられたセキュリティレベルを自動で変更することも可能となる。
【０１５１】
また、顧客管理データベースに生年月日を格納しておくことにより、上述した変形例１-２のようにユーザの年齢に応じて、端末１へと配信するデータを変更する際にも、この生年月日を用いて、配信すべきデータの形態を変更することも可能となる。
【０１５２】
＜変形例１-４＞
本実施形態においては、本発明に係る電子機器の遠隔制御システムのうち、家屋に設置される電子機器群６２の遠隔制御を行うホームネットワーク管理システムの例を説明したが、本発明をこれに限定するものではない。すなわち、会社や学校などの建物において使用される各種電子機器の遠隔制御を行う、電子機器の遠隔制御システムであっても良い。
【０１５３】
＜変形例１−５＞
上述した実施形態およびその変形例においては、ユーザは、端末１から「ユーザＩＤ」および「パスワード」を入力した後、すなわち、ユーザ認証を行った後、電子機器の遠隔制御を行う例を示したがこれに限定するものではない。例えば、ホームネットワーク管理設備５において、端末１ごとに制御可能なホームネットワーク６を対応付けて記憶しておき、ある端末１から当該端末ＩＤが付加された電子機器の制御要求があると、その端末ＩＤに対応付けられたホームネットワーク６の制御を行うシステムであっても良い。
【０１５４】
また、端末１からホームネットワーク管理設備５に送信する各種情報には、端末１の識別子として端末ＩＤを付加する例を示したがこれに限定するものではない。すなわち、この識別子は、ユーザＩＤであっても良いし、ホームネットワークＩＤであっても良い。
【０１５５】
［２］第２実施形態
［２．１］第２実施形態の構成
本実施形態にかかる遠隔制御システムは、特に示さない限り、第１実施形態で説明した構成要素と同様であり、同一の動作を行うものである。
【０１５６】
本実施形態は、第１実施形態の機能に加えて以下のような機能を有している。例えば、端末１のユーザが自宅内に設置されたホームネットワーク６に組み込まれている電子機器の買い換えを行った場合を考えてみる。このような場合、当該ユーザは、その電子機器に対応したドライバソフトウェアを該ホームネットワーク６のホームサーバ６１へとインストールすることが必要となる。
【０１５７】
本実施形態においては、かかる場合にユーザが端末１を用いて、ホームネットワーク管理設備５へとアクセスし、当該電子機器に対応したドライバソフトウェアをホームサーバ６１へとダウンロードすることを可能とするものである。
【０１５８】
上記機能を実現するため、本実施形態にかかるホームネットワーク管理設備５は、図２２に示すような構成を有している。なお、同図において、上述した図４と同様の要素については同一の符号を付してある。
【０１５９】
同図に示すように、本実施形態にかかるホームネットワーク管理設備５は、ドライバデータベース５１７を有しており、このドライバデータベース５１７は、ＨＴＴＰサーバ５１と接続されている。図２３は、このドライバデータベース５１７の記憶内容を示す図である。同図に示すように、このドライバデータベース５１７には、各電子機器の機種名に対応付けて当該機種のドライバソフトウェアが格納されている。ここで、ドライバデータベース５１７には、市場に供給されているほとんどの電子機器に対応したドライバソフトウェアが格納されている。また、ドライバデータベース５１７に格納されている各ドライバソフトウェアには、そのリソース位置を特定するためのＵＲＬが設定されている。
【０１６０】
また、ＨＴＴＰサーバ５１の制御部５１１が有しているＲＯＭには、上述した第１実施形態において、ＲＯＭが有していた各種情報や制御プログラムに加えて、端末１からの要求に従って、ホームサーバ６１へとドライバソフトウェアをダウンロードするためのプログラムが格納されている。
【０１６１】
システム制御部５１１は、このプログラムを実行することにより、端末１からの要求に対応したドライバソフトウェアをホームサーバ６１にダウンロードする。
【０１６２】
また、課金サーバ５６に格納される課金データは、上述した管理料とは別に、ドライバソフトウェアをダウンロードするたびに、コンテンツ配信料という形で累積される。
【０１６３】
［２．２］第２実施形態の動作
本実施形態において（ａ）端末１を用いてホームネットワーク６の遠隔制御を行う際の動作及び（ｂ）ホームネットワーク６側からの端末１へと警報を送信する際の動作、については、上述した第１実施形態と全く同様であるため、その説明は省略し、上述した第１実施形態と異なる動作についてのみ説明を行うこととする。
（ｃ）端末１を用いてドライバソフトウェアをダウンロードする際の動作
【０１６４】
この動作は、端末１とホームネットワーク管理設備５との間の通信経路の違い、すなわち、インターネット４経由であるか、或いは、移動パケット通信網２経由であるかによって２つの動作例が存在する。しかし、これら各動作例は、上述した動作例１-ａ-１及び動作例１-ａ-２と同様に、ホームネットワーク管理設備５における認証作業以外には相違点が無いため、インターネット４を介してホームネットワーク管理設備５のＨＴＴＰサーバ５１へとアクセスする場合を例に説明を行う。なお、本動作に先立って、ホームネットワーク６の電子機器群６２に新たな電子機器を加える、或いは、それまで使用していた電子機器を新たな電子機器に交換するという作業が必要となるが、これらの作業については既に行われたものとして、以下の説明を行う。
【０１６５】
まず、ユーザが端末１の指示入力部を操作することによって、ブラウジングを行う旨の入力を行うと、端末１においては、その入力コマンドに従い、ＷＷＷブラウザが読み出される。そして、端末１は、移動パケット通信網２に対してパケット登録を行う。なお、移動パケット通信網２を介して中継装置５２と直接通信を行う場合、上述したアクセスブラウザを読み出して中継装置５２と通信を開始することとなる。
【０１６６】
その後、図１１ステップＳａ１〜Ｓａ１３に示す処理（中継装置５２と直接通信を行う場合、図１７ステップＳｃ１〜Ｓｃ１１）と同様の処理が実行されることにより、ホームネットワーク管理設備５において端末１のユーザの認証作業が行われ、ホームサーバ６１の有している状況情報がＨＴＴＰサーバ５１によって共有される状態となる。
【０１６７】
次に、ＨＴＴＰサーバ５１のシステム制御部５１１は、端末１に対して、メニューデータを配信する。ここで、本実施形態において、システム制御部５１１から配信されるメニューデータには、第１実施形態に示すメニュー項目の他に、「ドライバソフトウェアのダウンロードは、ここをクリック」なるメニュー項目が含まれている。かかるメニューデータが端末１に受信された際に端末１の表示部に表示される画像の一例を図２４に示す。
【０１６８】
この画像が表示されている状態において、ユーザが端末１の指示入力部に対して、メニュー項目「ドライバソフトウェアのダウンロードは、ここをクリック」を選択する旨の入力操作を行うと、「ドライバソフトウェアのダウンロードは、ここをクリック」なる文字列が反転表示された状態となる。この状態で、ユーザが端末１の指示入力部に対して決定を行う旨の入力操作を行うと、システム制御部５１１は、そのメニュー項目に対応したＵＲＬをメニューデータから抽出し、当該ＵＲＬを含むＧＥＴ要求を移動パケット通信網２へと送出する。
【０１６９】
次に、当該ＧＥＴ要求がＨＴＴＰサーバ５１によって受信されると、ＨＴＴＰサーバ５１のシステム制御部５１１は、当該ＧＥＴ要求からＵＲＬを抽出する。そして、このＵＲＬから当該端末１に対して配信すべきＨＴＭＬデータが「ドライバソフトウェアのダウンロードは、ここをクリック」に対応したデータであるものと判定する。
【０１７０】
次に、ＨＴＴＰサーバ５１のシステム制御部５１１は、ドライバデータベース５１７に格納されている電子機器機種名を読み出して、当該電子機器機種名を含むＨＴＭＬデータを生成して、端末１へと送信する。ここで、このＨＴＭＬデータには、各ドライバソフトウェアに対応したＵＲＬが各電子機器の機種名と対応付けられている。
【０１７１】
ＨＴＭＬデータを受信した端末１の表示部には、ドライバソフトウェアのダウンロードが可能な電子機器の機種名の一覧、すなわち、図２３に示す電子機器機種名と同様の機種名の一覧が表示される。この状態において、例えば、「電子機器機種ａ」なる機種名を選択する旨の入力操作を行うと、端末１は、「電子機器機種ａ」と対応付けられたＵＲＬを抽出して、当該ＵＲＬを含むＧＥＴ要求をＨＴＴＰサーバ５１へと送信する。
【０１７２】
端末１から送信されたＧＥＴ要求がＨＴＴＰサーバ５１によって受信されると、ＨＴＴＰサーバ５１のシステム制御部５１１は、当該ＧＥＴ要求に含まれているＵＲＬを抽出する。そして、システム制御部５１１は、当該ＵＲＬに従って、ドライバデータベース５１７から「ドライバａ」を読み出して、ＲＡＭに格納すると共に、端末１に対して、ユーザの判断を促す画像を表示するためのＨＴＭＬデータを生成して、端末１へと送信する。
【０１７３】
この結果、端末１の表示部には、「あなたが選択したドライバソフトウェアは、「電子機器機種ａ」に対応したもので宜しいですか？」等の文字が表示される。そして、例えば、ユーザが端末１の指示入力部の決定ボタンを押すと、端末１は、移動パケット通信網２へ承認が行われた旨の通知（以下、「承認通知」という）を送出する。
【０１７４】
この承認通知を受信すると、ＨＴＴＰサーバ５１のシステム制御部５１１は、課金サーバ５６に対して、ホームネットワークＩＤと共に、ドライバソフトウェアのダウンロードが行われた旨を送る。この結果、課金サーバ５６においては、ドライバソフトウェアのダウンロードに伴って発生するコンテンツ配信料に対応した課金データが累積される形で更新される。
【０１７５】
また、ＨＴＴＰサーバ５１のシステム制御部５１１は、ＲＡＭに格納した「ドライバａ」を読み出す。そして、この「ドライバａ」がシステム制御部５１１によってネットワーク管理サーバ５５を介してホームサーバ６１へと送信される。ホームサーバ６１の制御部６１１は、ネットワーク管理サーバ５５から受信したドライバソフトウェアを自らの有するハードディスクへとインストールする。
【０１７６】
このように、本実施形態によれば、端末１を用いてＨＴＴＰサーバ５１へアクセスすることにより、電子機器のドライバソフトウェアをダウンロードする構成となっている。このため、ホームネットワーク６に組み込まれている電子機器の買い換え等を行った場合であっても、ユーザは、繁雑な作業を行うことなく、ホームサーバ６１のドライバソフトウェアを更新することが可能となる。
【０１７７】
なお、本実施形態においてＨＴＴＰサーバ５１は、ドライバデータベース５１７に格納されている全ての電子機器機種名を読み出して、当該電子機器機種名を含むＨＴＭＬデータを生成して、送信する構成としている。しかし、このＨＴＭＬデータを送信する替わりに、端末１のユーザに対して、端末１の機種を入力するための画面に対応した画像を送信する構成としても構わない。この場合、ＨＴＴＰサーバ５１のシステム制御部５１１は、端末１から送信されてきた機種名に従って、ドライバデータベース５１７の内容を検索することとなる。また、ドライバデータベース５１７に対して機種名と製造者名とを対応付けて格納することにより、メーカー名から機種名を検索できる構成としても良い。
【０１７８】
［３］第３実施形態
［３．１］第３実施形態の構成
図２５は、本実施形態にかかる遠隔制御システムの構成を示すブロック図である。なお、同図において、上述した図１と同様の要素については同一の符号を付してある。
同図に示すように、遠隔制御システムは、カーネットワーク管理設備５００と、カーネットワーク６００とを有する。
【０１７９】
ここで、カーネットワーク６００は、自動車内に設置されたネットワークであり、図２５に示すようにカーサーバ６０１と、キー制御装置６０２と、セキュリティシステム６０３と、エンジン制御装置６０４と、ＧＰＳ（Global Positioning System）６０５と、エアコン６０６と、カーネットワーク６００に含まれる各部を相互接続するためのバス６０７を有する。
【０１８０】
キー制御装置６０２は、キーシリンダに差し込まれたキーの正当性を認証する他、エンジンのスタータに接続されておりエンジンが始動されたか否かを検知する。ここで、キーシリンダに差し込まれたキーが正当なキーであるか否かを認証する方法は、任意である。例えば、キー本体にＩＣを搭載し、このＩＣに自動車の車体番号等を記憶させておき、この車体番号と、キー制御装置６０２が有する車体番号との一致を判定することにより認証を行う方法が考えられる。
【０１８１】
エンジン制御装置６０４は、インジェクションシステムを制御する装置であり、アクセルの開度等に従って、エンジンの燃焼室に供給すべきガソリン量と空気流入量を制御する。
ＧＰＳ（Global Positioning System）６０５は、自動車の位置を緯度経度で求め、対応した位置情報を算出する。
なお、キー制御部６０２、セキュリティシステム６０３、エンジン制御部６０４、ＧＰＳ６０５およびエアコン６０６は、全て通信機能を有しており、バス６０７を介してカーサーバ６０１と通信を行う。
【０１８２】
セキュリティシステム６０３は、カーサーバ６０１からの命令に従って施錠状況等を変更するための処理を実行する他、自動車に起きた変化を監視し、非常事態が発生した場合にカーサーバ６０１へと警報を送る。このセキュリティシステム６０３がカーサーバ６０１へと送る警報としては、以下のようなものがある。
（１）盗難警報
盗難警報は、キー制御装置６０２による認証が成立していない状況でエンジンが始動された場合、或いは、自動車のガラスが割られた場合に、セキュリティシステム６０３が、カーサーバ６０１に対して送信する警報である。
（２）事故時警報
事故時警報は、車両に事故が発生した場合に、セキュリティシステム６０３が、カーサーバ６０１に対して送信する警報である。セキュリティシステム６０３は、所定の閾値以上の重力加速度が検出されると、事故が発生したことを検出し、この警報をカーサーバ６０１へと送信する。
【０１８３】
カーサーバ６０１は、第１実施形態に示すホームサーバ６１と同様の構成を有しており、自動車に設置されたキー制御装置６０２、セキュリティシステム６０３、エンジン制御装置６０４、ＧＰＳ６０５およびエアコン６０６等の車載型の電子機器（以下、これらを区別する必要のない場合「車載機器」という）を一括管理する。なお、車載機器は、上述の電子機器に限定されるものではない。ここで、カーサーバ６０１の構成において第１実施形態にかかるホームサーバ６１と異なっている点は、状況情報テーブル記憶部６１４に格納されている状況情報のみである。
【０１８４】
図２６は、カーサーバ６０１の状況情報テーブル記憶部６１４に格納されている状況情報テーブルＴＢＬ２-ｍ（ｍ＝１〜ｋ）を示す図である。同図に示すように、本実施形態にける状況情報テーブル記憶部６１４には、各車載機器に対応した状況情報が格納されている。ここで、状況情報テーブルＴＢＬ２-ｍの内、第１実施形態と比較して特徴的なのは、ＧＰＳ６０５に関するテーブルＴＢＬ２-４である。このテーブルＴＢＬ２-４には、ＧＰＳ６０５によって取得される自動車の位置情報が、緯度経度によって格納されている。
【０１８５】
また、カーサーバ６０１は、セキュリティシステム６０３から、警報を受け取ると、第１実施形態と同様に当該警報をカーサーバ管理部５００へと転送する他、例えば、ヘッドライトの消し忘れ等を検出すると、自発的にカーサーバ管理部５００へと警報を送信する。なお、このカーサーバ６０１をどのような形態で自動車に実装するのかは、適宜設計事項であり、例えば、カーサーバ６０１の機能をナビゲーション装置に持たせることも可能であるし、別体として設けることも可能である。
【０１８６】
カーネットワーク管理設備５００は、第１実施形態にかかるホームネットワーク管理設備５と同様の構成を有し、同様の処理を実行する。カーネットワーク管理設備５００がホームネットワーク管理設備５と異なる点は、これらの構成部が有している情報に関して、ホームネットワーク６に関する情報が全てカーネットワーク６００に関する情報となっている点のみである。例えば、サーバ情報データベース５５１に格納されているネットワーク通信規格は、ホームサーバ６１に対応したものから、カーサーバ６０１に対応したものへと変更されている（図１０参照）。また、ＨＴＴＰサーバ５１の状況情報記憶部５１４に格納される状況情報は、各車載機器に対応した状況情報となる（図７参照）。更には、顧客管理データベース５１５に格納されている情報の内、ホームネットワークＩＤ「ｈｏｍｅ．ａ」、「ｈｏｍｅ．ｂ」…とあるのは、カーネットワークＩＤ「ｃａｒ．ａ」、「ｃａｒ．ｂ」…となっている（図６参照）。なお、これら情報は、名称等が異なるのみであり、実質的に上記第１実施形態と何ら異ならないため詳細は省略する。
【０１８７】
但し、本実施形態においては、第１実施形態において顧客管理データベース５１５に格納されている情報の内、ユーザ毎に設定されるセキュリティレベルが格納されない構成となっている。
【０１８８】
［３．２］第３実施形態の動作
本実施形態の動作を次の順序で説明する。すなわち、（ａ）端末１を用いてカーネットワーク５００の遠隔制御を行う際の動作、（ｂ）カーネットワーク６００側からの端末１へと警報を送信する際の動作、の順に説明を行う。
【０１８９】
（ａ）端末１を用いてカーネットワーク６００内の電子機器を遠隔制御する際の動作
この動作は、端末１とカーネットワーク管理設備５００との間の通信経路の違い、すなわち、インターネット４経由であるか、或いは、移動パケット通信網２経由であるかによって２つの動作例が存在するが、これら動作例の違いは、第１実施形態と全く同様であるので、インターネット４を経由してカーネットワーク６００の車載機器を遠隔制御する場合を例に説明を行う。
【０１９０】
まず、ユーザが端末１の指示入力部（図示は省略）を操作することによって、ブラウジングを行う旨の入力を行うと、端末１においては、その入力コマンドに従い、ＷＷＷブラウザが読み出される。そして、端末１は、移動パケット通信網２に対してパケット登録を行う。このようにして、パケット登録が行われると、本実施形態にかかる遠隔制御システムにおいては、上述した図１１のステップＳａ１〜Ｓａ１３が実行される一方、ＨＴＴＰサーバ５１のシステム制御部５１１においては、上述した図１３ステップＳｂ１〜Ｓｂ１１と同様の処理が実行される。
【０１９１】
このようにして、ＨＴＴＰサーバ５１の状況情報記憶部５１４に状況情報が格納された状態となると、ＨＴＴＰサーバ５１は、端末１に対してメニューデータを配信する。そして、上記第１実施形態と同様にカーネットワーク６００に組み込まれている車載機器の遠隔制御（以下、「カーネットワーク制御処理」という）を行うための処理が端末１と、ＨＴＴＰサーバ５１との間において実行される。
【０１９２】
図２７Ａ、２７Ｂ、２７Ｃ、２７Ｄ、２７Ｅ、２７Ｆ、２７Ｇ、２７Ｈ、２７Ｉ、２７Ｊ、２７Ｋ、２８Ａ、２８Ｂ、２８Ｃ、２８Ｄ、および図２８Ｅは、端末１の表示部における画像の遷移の一例を表した図である。
【０１９３】
まず、メニューデータが端末１によって受信されると、端末１の表示部には、図２７Ａのように各メニュー項目が表示される。この状態において、ユーザが端末１の指示入力部に対して、例えば、「ライト」というメニュー項目を選択する旨の入力操作を行うと、端末１においては、メニューデータから該メニュー項目に対応したＵＲＬが抽出される。そして、端末１は、このＵＲＬを含むＧＥＴ要求をＨＴＭＬサーバ５１に対して送信する。その後、所定の入力操作を行うことによって、各ライトのＯＮ／ＯＦＦ状況の切り替えが行われる（図２７Ｈ、２７Ｉ、２７Ｊ、および図２７Ｋ参照）。
【０１９４】
また、同様にして、「セキュリティシステム」を選択した場合、図２７Ｂ、２７Ｃ、および図２７Ｄのように端末１上に表示される画面が遷移し、「エアコン」を選択した場合、図２７Ｅ、２７Ｆ、および図２７Ｇのように端末１の表示部に表示される画面が遷移する。図２８Ａ、２８Ｂ、２８Ｃ、２８Ｄ、および図２８Ｅについても同様である。この結果、ＨＴＴＰサーバ５１の状況情報記憶部５１４に格納された状況情報が変更される。なお、このカーネットワーク制御処理において行われる処理も第１実施形態と同様であるため詳細は省略する。
【０１９５】
このようにして、ＨＴＴＰサーバ５１の状況情報記憶部５１４に格納されている状況情報の変更が行われると、ＨＴＴＰサーバ５１は、カーサーバ６０１に対して変更した状況情報を含む制御命令を送信する。そして、カーサーバ６０１は、この制御命令に従って、各車載機器の制御を実行する。
【０１９６】
（ｂ）カーサーバ６０１側からの警報を端末１に転送する際の動作
この動作には、カーネットワーク６００において発生した非常事態の内容によって３つの動作例が存在する。以下、各々の動作例について説明する。
【０１９７】
＜動作例３-ｂ-１＞
本動作例は、盗難警報がセキュリティシステム６０３からカーサーバ６０１へと送られてきた場合に行われるものである。
【０１９８】
図２９は、本動作例における処理を示す図である。
まず、自動車内に窃盗犯が入り込み、偽造した鍵を用いてエンジンを始動させる。この場合、キー制御装置６０２は、セキュリティシステム６０３に対して、「キー認証が成立していない状況でエンジンが始動された」旨を通知する。セキュリティシステム６０３は、この通知を受けて、カーサーバ６０１に警報ＡＣ２を転送する（ステップＳｆ１）。
【０１９９】
この警報ＡＣ２は、更に、カーサーバ６０１によってカーネットワーク管理サーバ５００へと転送され、カーネットワーク管理サーバ５００によってＨＴＴＰサーバ５１へと転送される（ステップＳｆ２及びＳｆ３）。
【０２００】
警報ＡＣ２を受信すると、ＨＴＴＰサーバ５１のシステム制御部５１１は、警報ＡＣ２から非常事態の内容を抽出し、その内容をＲＡＭへと格納する。そして、システム制御部５１１は、警報ＡＣ２の内容に対応した、電子メールＥＭ２を生成し、電子メールＥＭ２を端末１に対して送信する（ステップＳｆ４）。なお、第１実施形態と同様、電子メールＥＭ２には、ＨＴＴＰサーバ１のログインデータに対応したＵＲＬが含まれている。
【０２０１】
電子メールＥＭ２を受信すると、端末１においては、表示部に図３０Ａに示すような、電子メールＥＭ２に対応した画像が表示される。自動車のユーザは、この画面を見て、自動車が盗難に遭っていることを知ることが可能となる。
【０２０２】
そして、この状態において、ユーザが端末１の指示入力部を操作することにより「カーサーバにログイン」なる文字列を選択する旨の入力操作を行うと、端末１においては、当該文字列が反転表示される。そして、ユーザが端末１の指示入力部に対して、決定を行う旨の入力操作を行うと、端末１は、受信した電子メールＥＭ２からログインデータに対応したＵＲＬを抽出し、該ＵＲＬを含むＧＥＴ要求ＧＲ６を移動パケット通信網２へと送出する（ステップＳｆ５）。この際、端末１は、ＧＥＴ要求ＧＲ６に対して、自らの機種名を付加して送出する。
【０２０３】
次に、ＧＥＴ要求ＧＲ６を受信したＨＴＴＰサーバ５１のシステム制御部５１１は、ログインデータＬＤ３を生成して端末１に対して送信する（ステップＳｆ６）。ログインデータＬＤ３を受信すると、端末１と、カーネットワーク管理設備５００との間において、上述した図１１のステップＳａ５〜Ｓａ１３と同様の処理が実行される。
【０２０４】
次に、ＨＴＴＰサーバ５１のシステム制御部５１１は、端末１に対して、メニューデータＭＤ４を送信する（ステップＳｆ７）。メニューデータＭＤ４を受信すると、端末１は、図３０Ｃに示されるような、ユーザが指示を行うことが可能な内容を示す画像を表示部に表示する。
【０２０５】
この状態において、ユーザが「警察に通報」を選択する旨の入力操作を行うと、端末１は、「警察に通報」に対応したＵＲＬを含む決定信号ＤＳ４をＨＴＴＰサーバ５１へ送信する（ステップＳｆ８）。決定信号ＤＳ４を受信すると、ＨＴＴＰサーバ５１のシステム制御部５１１は、状況情報記憶部５１４に格納されている状況情報のうちＧＰＳ６０５に対応した物、すなわち、位置情報を読み出す。そして、ＨＴＴＰサーバ５１のシステム制御部５１１は、この位置情報を付加して、通報先サーバ７へと通報する。この結果、警察署、或いは、警備会社において通報がなされた旨のイベントが発生する。警察官、或いは、警備員は、通報先サーバ７に送信されてきた位置情報に従って、盗難車の位置を把握することが可能となる。
【０２０６】
また、ユーザが端末１の指示入力部に対してメニュー項目「位置情報確認」を選択する旨の入力操作を行った場合、ＨＴＴＰサーバ５１の制御部５１１は、状況情報記憶部５１４に格納した位置情報を読み出して、この位置情報に従ってＨＴＭＬデータを生成して送信する。この結果、端末１の表示部には図３０Ｄに示すような画像が表示される。
【０２０７】
これに対して、ユーザが端末１の指示入力部に対してメニュー項目「強制エンジンロック」を選択する旨の入力操作を行うと、端末１は、「強制エンジンロック」に対応したＵＲＬを含む決定信号ＤＳ４を移動パケット通信網２へと送出する（ステップＳｆ８）。ＨＴＴＰサーバ５１のシステム制御部５１１は、端末１から送信されてきた決定信号ＤＳ４に従い、状況情報記憶部５１４に記憶されている状況情報の変更を行う。そして、システム制御部５１１は、変更した状況情報を付加した制御命令ＣＩ４をネットワーク管理サーバ５５を介して、カーサーバ６０１へと送信する（ステップＳｆ９及びＳｆ１０）。
【０２０８】
カーサーバ６０１の制御部６１１は、受信した制御命令ＣＩ４から状況情報を抽出して、状況情報テーブルＴＢＬ２-ｍに上書きする。そして、制御部６１１は、この状況情報に従って、エンジン制御部６０４に対する制御を実行する。この際、強制的にエンジンをロックする方法としては、エンジンをストールさせるという方法が考えられる。この場合、エンジン制御部６０４は、エンジンに対する燃料の供給を強制的に中止する。また、所定の速度（例えば、１０km／ｈ）以上に速度が上がらないように制御しても良い。この場合、エンジン制御部６０４は、エンジンに対する燃料及び空気の少なくとも一方の供給量を一定量以上行わないようにインジェクタの制御を行う。
【０２０９】
＜動作例３-ｂ-２＞
本動作例は、カーサーバ６０１において、例えば、ヘッドライトの消し忘れ等が検出された場合に行われるものである。ここで、本動作例は、上述した動作例３-ｂ-１と同様に実行されるものであるため、以下においては、動作例３-ｂ-１と異なる点についてのみ説明することとする。
【０２１０】
まず、ユーザが、ヘッドライトを点灯させたままで、エンジンを切ると、カーサーバ６０１においては、システム制御部６１１がエンジンを切った時刻をＲＡＭに格納する。ここで、カーサーバ６０１は、ＲＡＭに格納した時刻から所定の時間内にカーネットワーク管理設備５００から、制御命令が送信され、この制御命令に従ってヘッドライトが消灯されると、ＲＡＭに格納されている時刻を消去する。
【０２１１】
これに対して、このＲＡＭに格納されている時刻から所定の時間（例えば、１０分）が経過するまでに、カーネットワーク管理設備５００からヘッドライトを消灯すべき旨の制御命令が送信されてこない場合、カーサーバ６０１は、カーネットワーク管理設備５００に対して、警報を送信する。この警報を受けると、図２９ステップＳｆ４〜Ｓｆ８と同様の処理が行われる。この際、ＨＴＴＰサーバ５１から送信されてきた電子メールＥＭ２に対応して端末１の表示部に表示される画像の一例を図３１Ａおよび図３１Ｂに示す。同図に示すように、ＨＴＴＰサーバ５１から警報に対応した電子メールＥＭが送信されてくると、端末１の表示部には、図３１Ａのような画像が表示され、ユーザに対して、注意を促す旨の画像が表示されることとなる。そして、上述したカーネットワーク制御処理が実行されることによって、ＨＴＴＰサーバ５１から制御命令が送信されると、カーサーバ６０１は、該制御命令に付加された状況情報に従って、ヘッドライトを消灯して、ＲＡＭに格納した時刻を消去する。
【０２１２】
＜動作例３-ｂ-３＞
本動作例は、カーサーバ６０１から事故時の警報が送信されてきた場合に行われるものである。
【０２１３】
まず、当該自動車が、正面衝突等を起こした場合、セキュリティシステム６０３において、所定の閾値以上の重力加速度が検出される。この場合、セキュリティシステム６０３は、事故時警報をカーサーバ６０１へと送る。この際、セキュリティシステム６０３からカーサーバ６０１に対して送られる事故時警報には、種々の情報を付加するようにしても良い。例えば、シートベルト上に脈拍計を設けて、ユーザの脈拍を取得しておき、事故時警報に対して、取得した脈拍等を付加して送信するようにしても良い。
【０２１４】
カーサーバ６０１は、事故時警報を受信すると、状況情報テーブル記憶部６１４に格納されている状況情報の内、ＧＰＳ６０５に対応した状況情報、すなわち、位置情報を付加してカーネットワーク管理設備５００を介してＨＴＴＰサーバ５１へと転送する。ＨＴＴＰサーバ５１のシステム制御部５１１は、このようにして送信されてきた警報ＡＣが事故時警報であるものと判定すれば、受信した事故時警報から、位置情報を抽出して通報先サーバ７へと通報する。なお、事故時警報に、脈拍等の情報が付加されている場合、システム制御部５１１は、この情報も通報先サーバ７へと送信する。
【０２１５】
この結果、警察署、或いは、警備会社において通報がなされた旨のイベントが発生する。警察官、或いは、警備員は、通報先サーバ７から送信された位置情報から、事故車の位置を把握することが可能となる。また、脈拍等の情報が付加されている場合、この情報に従って、救急車の手配を行うことも可能となる。
【０２１６】
このようにして、本実施形態は、自動車に非常事態が発生した場合に、その旨をユーザの端末へと配信する構成となっている。このため、自動車の盗難が発生した場合に、ユーザは、とりうる措置を講じることが可能である。また、この際、エンジンを強制的にロックすることができる構成となっているため、盗難車が現場から離れた場所に移動することを有効に防止することが可能となる。更には、ＨＴＴＰサーバ５１は、自動車の位置情報を取得して、この位置情報と共に、警察に対する通報を行うことが可能であるため、迅速な事件解決を行うことも可能となる。
【０２１７】
［３．３］変形例
本実施形態においては、端末１を用いて自動車に設置されたカーネットワーク６００内の車載機器を遠隔制御する構成となっている。しかし、自動二輪車に上述したカーネットワークと同様の構成を有するオートバイネットワークを設ける構成としても構わない。このように自動２輪車にオートバイネットワークを設け、本実施形態と同様の機能を持たせることにより、自動車よりも盗難に遭う可能性の高い自動二輪車の盗難を有効に防止することが可能となる。
【図面の簡単な説明】
【図１】この発明の一実施形態であるホームネットワーク管理システムが実行される遠隔制御システムの構成を示す図である。
【図２】同実施形態にかかるホームサーバ６１の構成例を示すブロック図である。
【図３】同実施形態にかかる状況情報テーブルＴＢＬ１-ｍの内容を例示する図である。
【図４】同実施形態にかかるホームネットワーク管理設備５の構成例を示すブロック図である。
【図５】同実施形態にかかるＨＴＴＰサーバ５１の構成例を示すブロック図である。
【図６】同実施形態にかかる顧客管理データベース５１５の記憶内容を例示する図である。
【図７】同実施形態にかかる状況情報記憶部５１４の記憶内容を例示する図である。
【図８】同実施形態にかかる端末情報データベース５１６の記憶内容を例示する図である。
【図９】同実施形態にかかる認証データベース５４１の記憶内容を例示する図である。
【図１０】同実施形態にかかるサーバ情報データベース５５１の記憶内容を示す図である。
【図１１】同実施形態の動作例１-ａ-１におけるシステム全体のシーケンスを示す図である。
【図１２】同実施形態にかかる端末１の表示部に表示されるログイン画面の一例を示す図である。
【図１３】同実施形態の動作例１-ａ-１におけるＨＴＴＰサーバ５１のシステム制御部の処理を示すフローチャートである。
【図１４】Ａ〜Ｎは、同実施形態にかかる端末１の表示部における画像の遷移を例示する図である。
【図１５】Ａ〜Ｌは、同実施形態にかかる端末１の表示部における画像の遷移を例示する図である。
【図１６】Ａ〜Ｅは、同実施形態にかかる端末１の表示部における画像の遷移を例示する図である。
【図１７】同実施形態の動作例１-ａ-２におけるシステム全体のシーケンスを示す図である。
【図１８】同実施形態の動作例１-ａ-２におけるＨＴＴＰサーバ５１のシステム制御部で行われる処理を示すフローチャートである。
【図１９】同実施形態においてホームネットワーク６側からの警報を端末１に送信する際におけるシステム全体のシーケンスを示す図である。
【図２０】ＡおよびＢは、同システムにおける端末１の表示部における画像の遷移の一例を示す図である。
【図２１】変形例１-１にかかる、顧客管理データベース５１５の記憶内容を示す図である。
【図２２】第２実施形態にかかるホームネットワーク管理設備５の構成を示すブロック図である。
【図２３】は、同実施形態にかかるドライバデータベース５１７の記憶内容を示す図である。
【図２４】同実施形態にかかる端末１の表示部に表示されるメニュー画面の一例を示す図である。
【図２５】第３実施形態にかかる遠隔制御システムの構成を示すブロック図である。
【図２６】同実施形態にかかる状況情報格納テーブル記憶部６１４に格納されている状況情報格納テーブルＴＢＬ２-ｍを示す図である。
【図２７】Ａ〜Ｋは、同実施形態にかかる端末１の表示部における画像の遷移の一例を示す図である。
【図２８】Ａ〜Ｅは、同実施形態にかかる端末１の表示部における画像の遷移の一例を示す図である。
【図２９】同実施形態においてカーネットワーク６００側からの警報を端末１に送信する際におけるシステム全体のシーケンスを示す図である。
【図３０】Ａ〜Ｅは、同実施形態にかかる端末１の表示部における画像の遷移の一例を示す図である。
【図３１】ＡおよびＢは、同実施形態にかかる端末１の表示部における画像の遷移の一例を示す図である。
【図１】
0003727922.tif 000002
【図２】
0003727922.tif 000003
【図３】
0003727922.tif 000004
【図４】
0003727922.tif 000005
【図５】
0003727922.tif 000006
【図６】
0003727922.tif 000007
【図７】
0003727922.tif 000008
【図８】
0003727922.tif 000009
【図９】
0003727922.tif 000010
【図１０】
0003727922.tif 000011
【図１１】
0003727922.tif 000012
【図１２】
0003727922.tif 000013
【図１３】
0003727922.tif 000014
【図１４】
0003727922.tif 000015
【図１５】
0003727922.tif 000016
【図１６】
0003727922.tif 000017
【図１７】
0003727922.tif 000018
【図１８】
0003727922.tif 000019
【図１９】
0003727922.tif 000020
【図２０】
0003727922.tif 000021
【図２１】
0003727922.tif 000022
【図２２】
0003727922.tif 000023
【図２３】
0003727922.tif 000024
【図２４】
0003727922.tif 000025
【図２５】
0003727922.tif 000026
【図２６】
0003727922.tif 000027
【図２７】
0003727922.tif 000028
【図２８】
0003727922.tif 000029
【図２９】
0003727922.tif 000030
【図３０】
0003727922.tif 000031
【図３１】
0003727922.tif 000032